(57)【要約】      （修正有）【課題】セルのオン／オフ状態が切り替えられる環境に適した測定報告を行うことを可能にする装置を提供する。【解決手段】サービングセルがオフ状態になる予定であることを示す情報を取得する取得部１４１と、サービングセルがオフ状態になる前に測定報告を行う制御部１４３と、を備える。また、オン状態の近隣セルについての測定結果に関する第１のイベントの発生に応じて測定報告を行う制御部、を備える装置では、制御部が、オフ状態の近隣セルについての測定結果に関する第２のイベントの発生に応じて測定報告を行い、第１のイベント及び第２のイベントは、オフセット又は閾値が異なる。【選択図】図１０
2015220658.tif 000002
【特許請求の範囲】
【請求項１】
サービングセルがオフ状態になる予定であることを示す情報を取得する取得部と、
サービングセルがオフ状態になる前に測定報告を行う制御部と、
を備える装置。
【請求項２】
前記サービングセルは、キャリアアグリゲーションのプライマリセルである、請求項１に記載の装置。
【請求項３】
前記サービングセルは、スモールセルである、請求項１に記載の装置。
【請求項４】
前記制御部は、サービングセルがオフ状態になる予定であることが示されるというイベントの発生に応じて、測定報告を行う、請求項１に記載の装置。
【請求項５】
前記測定報告は、前記サービングセル以外のセルについての測定報告である、請求項１に記載の装置。
【請求項６】
オン状態の近隣セルについての測定結果に関する第１のイベントの発生に応じて測定報告を行う制御部、
を備え、
前記制御部は、オフ状態の近隣セルについての測定結果に関する第２のイベントの発生に応じて測定報告を行い、
前記第１のイベント及び前記第２のイベントは、オフセット又は閾値が異なる、
装置。
【請求項７】
前記第２のイベントは、前記第１のイベントよりも厳しい発生条件を有する、請求項６に記載の装置。
【請求項８】
前記第１のイベントは、測定結果について、オン状態の近隣セルがサービングセルよりも第１のオフセットだけ良くなることであり、
前記第２のイベントは、測定結果について、オフ状態の近隣セルがサービングセルよりも第２のオフセットだけ良くなることであり、
前記第２のオフセットは、前記第１のオフセットよりも大きい、
請求項６に記載の装置。
【請求項９】
前記第１のイベントは、測定結果について、オン状態の近隣セルが第１の閾値よりも良くなることであり、
前記第２のイベントは、測定結果について、オフ状態の近隣セルが第２の閾値よりも良くなることであり、
前記第２の閾値は、前記第１の閾値よりも大きい、
請求項６に記載の装置。
【請求項１０】
前記第１のイベントは、測定結果について、サービングセルが第１の閾値よりも悪くなり、オン状態の近隣セルが第２の閾値よりも良くなることであり、
前記第２のイベントは、測定結果について、サービングセルが第３の閾値よりも悪くなり、オフ状態の近隣セルが第４の閾値よりも良くなることであり、
前記第４の閾値は前記第２の閾値よりも大きく、又は前記第３の閾値は前記第１の閾値よりも小さい、
請求項６に記載の装置。
【請求項１１】
前記サービングセルは、キャリアアグリゲーションのプライマリセルである、請求項８に記載の装置。
【請求項１２】
前記第１のイベントは、測定結果について、オン状態の近隣セルがセカンダリセルよりも第１のオフセットだけ良くなることであり、
前記第２のイベントは、測定結果について、オフ状態の近隣セルがセカンダリセルよりも第２のオフセットだけ良くなることであり、
前記第２のオフセットは、前記第１のオフセットよりも大きい、
請求項６に記載の装置。
【請求項１３】
近隣セルについての測定結果に関するイベントのためのオフセット又は閾値を取得する取得部と、
前記オフセット又は前記閾値を端末装置に通知する制御部と、
を備え、
前記オフセット又は前記閾値は、オン状態の近隣セルについての測定結果に関する第１のイベントのためのオフセット又は閾値と、オフ状態の近隣セルについての測定結果に関する第２のイベントのためのオフセット又は閾値とを含み、
前記第２のイベントのための前記オフセット又は前記閾値は、前記第１のイベントのための前記オフセット又は前記閾値とは異なる、
装置。
【請求項１４】
端末装置のトラフィックに関する情報を取得する取得部と、
前記情報に関する所定の条件が満たされる場合に測定報告を行う制御部と、
を備える装置。
【請求項１５】
前記トラフィックに関する情報は、前記端末装置のトラフィックロードであり、
前記所定の条件は、前記端末装置のトラフィックロードが閾値以上になることである、
請求項１４に記載の装置。
【請求項１６】
前記トラフィックに関する情報は、前記端末装置のトラフィック量であり、
前記所定の条件は、前記端末装置のトラフィック量が閾値以上になることである、
請求項１４に記載の装置。
【請求項１７】
前記閾値は、前記端末装置の平均スループットである、請求項１６に記載の装置。
【請求項１８】
前記測定報告は、オフ状態のセルについての測定報告を含む、請求項１４に記載の装置。
【請求項１９】
端末装置により報告される、オフ状態のセルについての測定結果と、前記端末装置のバッファステータスに関する情報とを取得する取得部と、
前記測定結果及び前記情報に基づいて、前記セルのオン状態への切替えを決定する制御部と、
を備える装置。
【請求項２０】
前記情報は、バッファステータスレポートである、請求項１９に記載の装置。
【発明の詳細な説明】
【技術分野】
【０００１】
本開示は、装置に関する。
【背景技術】
【０００２】
ＬＴＥ（Long  Term  Evolution）などの通信規格に従ったセルラーシステムでは、セル選択（cell  selection）／セル再選択（cell  reselection）及びハンドオーバのために、端末装置がリファレンス信号に基づく測定（measurements）を行う。
【０００３】
端末装置による測定に関する様々な技術が提案されている。例えば、特許文献１には、チャネル品質が低いほど多くのコンポーネントキャリアに測定ギャップを割り当てる技術が開示されている。
【先行技術文献】
【特許文献】
【０００４】
【特許文献１】特開２０１４−５３９７１号公報
【発明の概要】
【発明が解決しようとする課題】
【０００５】
しかし、セル（例えば、スモールセル）のオン／オフ状態が切り替えられる環境では、当該環境に適した測定報告（measurement  reporting）が行われない可能性がある。
【０００６】
そこで、セルのオン／オフ状態が切り替えられる環境に適した測定報告を行うことを可能にする仕組みが提供されることが望ましい。
【課題を解決するための手段】
【０００７】
本開示によれば、サービングセルがオフ状態になる予定であることを示す情報を取得する取得部と、サービングセルがオフ状態になる前に測定報告を行う制御部と、を備える装置が提供される。
【０００８】
また、本開示によれば、オン状態の近隣セルについての測定結果に関する第１のイベントの発生に応じて測定報告を行う制御部、を備える装置が提供される。上記制御部は、オフ状態の近隣セルについての測定結果に関する第２のイベントの発生に応じて測定報告を行う。上記第１のイベント及び上記第２のイベントは、オフセット又は閾値が異なる。
【０００９】
また、本開示によれば、近隣セルについての測定結果に関するイベントのためのオフセット又は閾値を取得する取得部と、上記オフセット又は上記閾値を端末装置に通知する制御部と、を備える装置が提供される。上記オフセット又は上記閾値は、オン状態の近隣セルについての測定結果に関する第１のイベントのためのオフセット又は閾値と、オフ状態の近隣セルについての測定結果に関する第２のイベントのためのオフセット又は閾値とを含む。上記第２のイベントのための上記オフセット又は上記閾値は、上記第１のイベントのための上記オフセット又は上記閾値とは異なる。
【００１０】
また、本開示によれば、端末装置のトラフィックに関する情報を取得する取得部と、上記情報に関する所定の条件が満たされる場合に測定報告を行う制御部と、を備える装置が提供される。
【００１１】
また、本開示によれば、端末装置により報告される、オフ状態のセルについての測定結果と、上記端末装置のバッファステータスに関する情報とを取得する取得部と、上記測定結果及び上記情報に基づいて、上記セルのオン状態への切替えを決定する制御部と、を備える装置が提供される。
【発明の効果】
【００１２】
以上説明したように本開示によれば、スモールセルのオン／オフ状態が切り替えられる環境に適した測定報告を行うことが可能になる。なお、上記の効果は必ずしも限定的なものではなく、上記効果とともに、又は上記効果に代えて、本明細書に示されたいずれかの効果、又は本明細書から把握され得る他の効果が奏されてもよい。
【図面の簡単な説明】
【００１３】
【図１】スモールセルの例を説明するための説明図である。
【図２】スモールセルクラスタの例を説明するための説明図である。
【図３】スモールセルのオン／オフ処理の概略的な流れの一例を示すシーケンス図である。
【図４】ＤＲＳが用いられる場合のスモールセルのオン／オフ処理の概略的な流れの一例を示すシーケンス図である。
【図５】測定ギャップの例を説明するための説明図である。
【図６】キャリアアグリゲーション（ＣＡ）の第１のシナリオを説明するための説明図である。
【図７】キャリアアグリゲーション（ＣＡ）の第２のシナリオを説明するための説明図である。
【図８】キャリアアグリゲーション（ＣＡ）の第３のシナリオを説明するための説明図である。
【図９】本開示の実施形態に係る通信システムの概略的な構成の一例を示す説明図である。
【図１０】第１の実施形態に係る端末装置の構成の一例を示すブロック図である。
【図１１】第１の実施形態に係る処理の概略的な流れの一例を示すシーケンス図である。
【図１２】第２の実施形態に係る端末装置の構成の一例を示すブロック図である。
【図１３】第２の実施形態に係る基地局の構成の一例を示すブロック図である。
【図１４】第２の実施形態に係る処理の概略的な流れの一例を示すシーケンス図である。
【図１５】第３の実施形態に係る端末装置の構成の一例を示すブロック図である。
【図１６】第３の実施形態に係る処理の概略的な流れの一例を示すシーケンス図である。
【図１７】第４の実施形態に係る制御エンティティの構成の一例を示すブロック図である。
【図１８】第４の実施形態に係る処理の概略的な流れの一例を示すシーケンス図である。
【図１９】第５の実施形態に係る基地局の構成の一例を示すブロック図である。
【図２０】第５の実施形態に係る処理の概略的な流れの一例を示すシーケンス図である。
【図２１】第６の実施形態に係る端末装置の構成の一例を示すブロック図である。
【図２２】第６の実施形態に係る処理の概略的な流れの一例を示すシーケンス図である。
【図２３】第７の実施形態に係る端末装置の構成の一例を示すブロック図である。
【図２４】第７の実施形態に係る基地局の構成の一例を示すブロック図である。
【図２５】第７の実施形態に係る処理の概略的な流れの一例を示すシーケンス図である。
【図２６】サーバの概略的な構成の一例を示すブロック図である。
【図２７】ｅＮＢの概略的な構成の第１の例を示すブロック図である。
【図２８】ｅＮＢの概略的な構成の第２の例を示すブロック図である。
【図２９】スマートフォンの概略的な構成の一例を示すブロック図である。
【図３０】カーナビゲーション装置の概略的な構成の一例を示すブロック図である。
【発明を実施するための形態】
【００１４】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１５】
なお、説明は以下の順序で行うものとする。
１．はじめに
２．通信システムの概略的な構成
３．第１の実施形態
３．１．概略
３．２．端末装置の構成
３．３．処理の流れ
４．第２の実施形態
４．１．概略
４．２．端末装置の構成
４．３．基地局の構成
４．４．処理の流れ
５．第３の実施形態
５．１．概略
５．２．端末装置の構成
５．３．処理の流れ
６．第４の実施形態
６．１．概略
６．２．制御エンティティの構成
６．３．処理の流れ
７．第５の実施形態
７．１．概略
７．２．基地局の構成
７．３．処理の流れ
８．第６の実施形態
８．１．概略
８．２．端末装置の構成
８．３．処理の流れ
９．第７の実施形態
９．１．概略
９．２．端末装置の構成
９．３．基地局の構成
９．４．処理の流れ
１０．応用例
１０．１．制御エンティティに関する応用例
１０．２．基地局に関する応用例
１０．３．端末装置に関する応用例
１１．まとめ
【００１６】
＜＜１．はじめに＞＞
まず、図１〜図８を参照して、本開示の実施形態に関連する技術を説明する。具体的には、スモールセル、測定（measurements）及びキャリアアグリゲーションを説明する。
【００１７】
（スモールセル）
（ａ）スモールセル
スモールセルは、マクロセルよりも小さいセルである。例えば、スモールセルは、マクロセルと一部又は全体で重なる。以下、図１を参照して、スモールセルの例を説明する。
【００１８】
図１は、スモールセルの例を説明するための説明図である。図１を参照すると、マクロ基地局１１、マクロセル１３、スモール基地局１５及びスモールセル１７が示されている。マクロ基地局１１は、マクロセル１３の基地局であり、スモール基地局１５は、スモールセル１７の基地局である。換言すると、マクロセル１３は、マクロ基地局１１のカバレッジエリア（即ち、通信エリア）であり、スモールセル１７は、スモール基地局１５のカバレッジエリア（即ち、通信エリア）である。
【００１９】
なお、ＬＴＥの基地局は、ｅＮＢ（evolved  Node  B）と呼ばれる。ここでは、ＬＴＥのマクロ基地局をマクロｅＮＢと呼び、ＬＴＥのスモール基地局をスモールｅＮＢと呼ぶ。また、ＬＴＥの端末装置は、ＵＥ（User  Equipment）と呼ばれる。
【００２０】
（ｂ）スモールセルクラスタ
高密度に配置されたスモールセルは、スモールセルクラスタを形成する。以下、図２を参照して、スモールセルクラスタの例を説明する。
【００２１】
図２は、スモールセルクラスタの例を説明するための説明図である。図２を参照すると、マクロ基地局１１、マクロセル１３、及びスモールセル１７が示されている。例えば、高密度に配置されたスモールセル１７が、スモールセルクラスタ１９を形成する。
【００２２】
（ｃ）スモールセルのオン／オフ（Small  cell  On/Off）
スモールセルが高密度で配置されるケースでは、セル間干渉が大きな問題となる。通常、スモール基地局は、当該スモールセルのトラフィックの有無にかかわらず、セル固有リファレンス信号（Cell-specific  Reference  Signal：ＣＲＳ）を送信する。スモールセルが高密度で配置されるケースでは、当該ＣＲＳが近隣セル（neighbour  cell）にとっての大きな干渉となることが判明している。そのため、干渉を低減させるための様々な技術が検討されている。
【００２３】
このようなセル間干渉を低減させるための技術として、現在、スモールセルのオン／オフの技術が注目されている。スモールセルのオン／オフの技術は、スモールセルのオン／オフ状態を適応的に切り替えることにより、スモールセルの周辺セルへの干渉を抑えることを可能にする。スモールセルのオン／オフ状態の切替えのトリガはまだ具体的に決定されていないが、例えば、トラフィック量、端末装置のアソシエーション又はパケットの到着などに基づく切替えのトリガが検討されている。以下、図３を参照して、スモールセルのオン／オフの手続き（procedure）の例を説明する。
【００２４】
図３は、スモールセルのオン／オフ処理の概略的な流れの一例を示すシーケンス図である。当該スモールセルのオン／オフ処理は、３ＧＰＰ（Third  Generation  Partnership  Project）のＲ１−１３４３１８に開示されている処理である。ＵＥは、送信すべきデータが発生すると、サービングセル（serving  cell）であるマクロセルのマクロｅＮＢへアップリンク信号を送信する（Ｓ１００１）。すると、マクロｅＮＢは、上記ＵＥの周辺に位置するオフ状態のスモールｅＮＢを探し、適切なスモールｅＮＢがあれば、オン状態への切替えを当該適切なスモールｅＮＢに指示する（Ｓ１００３）。すると、上記スモールｅＮＢは、オフ状態からオン状態への切替えを行う（Ｓ１００５）。そして、上記スモールｅＮＢは、ＰＳＳ（Primary  Synchronization  Signal）、ＳＳＳ（Secondary  Synchronization  Signal）、ＣＲＳ（Cell-specific  Reference  Signal）及びＰＢＣＨ（Physical  Broadcast  Channel）信号などのダウンリンク信号を送信する（Ｓ１００７）。また、上記ＵＥは、セルサーチ及びＲＲＭ測定を行い（Ｓ１００９）、上記マクロｅＮＢへの測定報告（measurement  report）を行う（Ｓ１０１１）。その後、マクロセルからスモールセルへの上記ＵＥのハンドオーバが行わる（Ｓ１０１３）。そして、上記ＵＥ及び上記スモールｅＮＢは、アクセス手続きを行い（Ｓ１０１５）、データ送信を行う（Ｓ１０１７）。
【００２５】
図３に示されるような手続きにより、スモールセルのオン／オフ状態の切替えが可能になる。しかし、この手続きによれば、遷移時間（transition  time）が比較的長くなってしまう。即ち、この手続きによれば、端末装置がデータを送信しようとしてから当該端末装置が実際にデータを送信するまでの時間が、比較的長くなってしまう。そのため、スループットの大きな改善は困難である。遷移時間の改善のためには、スモールセルがオフ状態である間に、主な遅延要因である測定処理を端末装置が行うことが、望ましい。
【００２６】
（ｄ）ディスカバリリファレンス信号
遷移時間の削減のために、ディスカバリリファレンス信号（Discovery  Reference  Signal：ＤＲＳ）の導入が検討されている。ＤＲＳは、オフ状態のスモールセルについての測定を可能にする。ＤＲＳは、ディスカバリ信号（Discovery  Signal：ＤＳ）とも呼ばれる。スモール基地局（例えば、スモールｅＮＢ）は、スモールセル（又はスモール基地局）がオフ状態である間にＤＲＳを送信し、端末装置（例えば、ＵＥ）は、当該ＤＲＳに基づいて測定を行う。以下、図４を参照して、ＤＲＳが用いられる場合のスモールセルのオン／オフの手続きの例を説明する。
【００２７】
図４は、ＤＲＳが用いられる場合のスモールセルのオン／オフ処理の概略的な流れの一例を示すシーケンス図である。当該スモールセルのオン／オフ処理は、３ＧＰＰのＲ１−１３４３１８に開示されている処理である。マクロｅＮＢは、スモールｅＮＢにＤＳの送信を指示し（Ｓ１０３１）、スモールｅＮＢは、ダウンリンクでＤＳを送信する（Ｓ１０３３）。ＵＥは、ＤＳに基づく測定を行い（Ｓ１０３５）、上記マクロｅＮＢ（即ち、サービングセルであるマクロセルのｅＮＢ）に上記測定の結果を報告する（Ｓ１０３７）。その後の手続き（Ｓ１０４１〜Ｓ１０４９）を通じて、上記ＵＥ及び上記スモールｅＮＢは、データ送信を行う（Ｓ１０５１）。
【００２８】
図４に示されるような手続きにより、スモールセルがオフ状態である間に端末装置が測定を行うことが可能になる。そのため、遷移時間が削除され、スループットが改善され得る。
【００２９】
なお、干渉を低減させるための様々な技術として、ミューティング（Muting）、マルチインスタンス（Multiple  Instance）及び干渉キャンセル（Interference  Cancellation）などの、送信側及び受信側の強化（enhancement）も検討されている。
【００３０】
（測定）
（ａ）ＣＲＳについての測定
ＬＴＥでは、端末装置は、基地局により送信されるＣＲＳに基づいて測定を行う。具体的には、端末装置は、基地局により送信されるＣＲＳの受信により、当該基地局と当該端末装置との間の伝搬路の品質の測定を行う。この測定は、ＲＲＭ（Radio  Resource  Management）測定、又は単に「測定（measurements）」と呼ばれる。
【００３１】
上記測定の結果は、端末装置のためのセルを選択するために使用される。具体的には、例えば、上記測定の結果は、ＲＲＣ（Radio  Resource  Control）アイドル（RRC  Idle）である端末装置によるセル選択（cell  selection）／セル再選択（cell  reselection）に使用される。また、例えば、上記測定の結果は、ＲＲＣ接続（RRC  Connected）である端末装置により基地局に報告され、当該基地局によるハンドオーバ決定（handover  decision）に使用される。
【００３２】
（ｂ）ＲＳＲＰ及びＲＳＲＱ
ＬＴＥでは、ＣＲＳについての測定は、ＲＳＲＰ（Reference  Signal  Received  Power）及び／又はＲＳＲＱ（Reference  Signal  Received  Quality）の測定である。換言すると、端末装置は、ＣＲＳについての測定の結果として、ＲＳＲＰ及び／又はＲＳＲＱを取得する。ＲＳＲＱは、ＲＳＲＰとＲＳＳＩ（Received  Signal  Strength  Indicator）から算出される。
【００３３】
ＲＳＲＰは、単一のリソースエレメントあたりのＣＲＳの受信電力である。即ち、ＲＳＲＰは、ＣＲＳの受信電力の平均値である。ＣＲＳの受信電力は、ＣＲＳのリソースエレメントにおける受信信号と既知信号であるＣＲＳとの相関の検出により得られる。ＲＳＲＰは、所望信号「Ｓ（Signal）」に対応する。
【００３４】
ＲＳＳＩは、ＯＦＤＭＡ（Orthogonal  Frequency  Division  Multiple  Access）シンボルあたりの信号の総電力である。そのため、ＲＳＳＩは、所望信号、干渉信号及び雑音を含む。即ち、ＲＳＳＩは、「Ｓ（Signal）＋Ｉ（Interference）＋Ｎ（Noise）」に対応する。
【００３５】
ＲＳＲＱは、ＲＳＲＰ／（ＲＳＲＩ／Ｎ）である。Ｎは、ＲＳＳＩの算出に用いられるリソースブロックの数である。当該リソースブロックは、周波数方向に並ぶリソースブロックである。したがって、ＲＳＲＱは、リソースブロック１個あたりのＲＳＲＩでＲＳＲＰを割ることにより得られる値である。即ち、ＲＳＲＱは、ＳＩＮＲ（Signal-to-Interference-plus-Noise  Ratio）に対応する。
【００３６】
以上のように、ＣＲＳについての測定により、受信電力（即ち、ＲＳＲＰ）と、ＳＩＮＲのような受信品質（即ち、ＲＳＲＱ）とが得られる。
【００３７】
（ｃ）測定タイミング
端末装置が使用している周波数帯域についての測定は、Ｉｎｔｒａ−Ｆｒｅｑｕｅｎｃｙ  Ｍｅａｓｒｅｕｅｍｎｔと呼ばれる。一方、端末装置が使用していない周波数帯域についての測定は、Ｉｎｔｅｒ−Ｆｒｅｑｕｅｎｃｙ  Ｍｅａｓｒｅｕｅｍｎｔと呼ばれる。
【００３８】
端末装置は、ＲＦ（Radio  Frequency）回路の周波数の切替えなしで、使用している周波数帯域において送信されるＣＲＳを受信することができる。即ち、Ｉｎｔｒａ−Ｆｒｅｑｕｅｎｃｙ  Ｍｅａｓｒｅｕｅｍｎｔのためには、ＲＦ回路の周波数の切替えは不要である。
【００３９】
一方、端末装置は、使用していない周波数帯域において送信されるＣＲＳを受信するためには、ＲＦ（Radio  Frequency）回路の周波数を切り替える必要がある。即ち、Ｉｎｔｅｒ−Ｆｒｅｑｕｅｎｃｙ  Ｍｅａｓｒｅｕｅｍｎｔのためには、ＲＦ回路の周波数の切替えが必要である。そのため、Ｉｎｔｅｒ−Ｆｒｅｑｕｅｎｃｙ  Ｍｅａｓｒｅｕｅｍｎｔのために、測定ギャップ（measurement  gap）と呼ばれる期間が用いられる。
【００４０】
測定ギャップの間は、基地局は、端末装置宛のダウンリンク信号を送信しない。また、測定ギャップは、基地局と端末装置との間で共有される。例えば、基地局は、測定ギャップを示す情報を含むメッセージ（例えば、ＲＲＣコネクションリコンフィギュレーション（RRC  Connection  Reconfiguration）メッセージ）を端末装置へ送信する。例えば、測定ギャップは、測定ギャップ長（Measurement  Gap  Length：ＭＧＬ）、測定ギャップ反復期間（Measurement  Gap  Repetition  Period：ＭＧＲＰ）及びギャップオフセットなどにより示される。また、ＭＧＬ及びＭＧＲＰとの組合せは、例えばギャップパターンとして定められる。以下、図５を参照して、測定ギャップの例を説明する。
【００４１】
図５は、測定ギャップの例を説明するための説明図である。図５を参照すると、ＳＦＮが０〜９の無線フレーム（Radio  Frame）の列と、無線フレームに含まれる１０個のサブフレーム（サブフレーム番号が０〜９のサブフレーム）の行とを含むマトリクスが示されている。この例では、ＭＧＬが６ミリ秒（ｍｓ）であり、ＭＧＲＰが４０ｍｓであり、ギャップオフセットは０である。そのため、測定ギャップは、６ｍｓの長さを有し、４０ｍｓごとに現れる。より具体的には、例えば、ＳＦＮが０、４、８である無線フレームの各々のうちの、サブフレーム番号が０〜５の６つのサブフレームが、測定ギャップである。当該測定ギャップの間に、Ｉｎｔｅｒ−Ｆｒｅｑｕｅｎｃｙ  Ｍｅａｓｒｅｕｅｍｎｔが行われる。
【００４２】
（ｄ）測定報告
端末装置は、測定の結果を基地局に報告する。この報告（reporting）は、測定報告（measurement  reporting）と呼ばれる。
【００４３】
測定報告は、周期的な報告（periodic  reporting）又はイベントトリガ報告（event-triggered  reporting）である。周期的な報告は、設定された周期で行われる報告である。一方、イベントトリガ報告は、報告イベント（reporting  event）が発生した場合に行われる報告である。報告イベントＡ１〜Ａ５は、システム内のハンドオーバに関連するイベントであり、報告イベントＢ１〜Ｂ２は、システム間のハンドオーバに関連するイベントである。
【００４４】
【表１】
2015220658.tif 000003
【００４５】
（キャリアアグリゲーション）
キャリアアグリゲーション（Carrier  Aggregation：ＣＡ）は、複数のコンポーネントキャリア（Component  Carrier：ＣＣ）を同時に使用して通信を行う技術である。コンポーネントキャリアは、最大２０ＭＨｚの帯域幅を有する周波数帯域である。キャリアアグリゲーションには、３つのシナリオがある。以下、図６〜図８を参照してキャリアアグリゲーションの３つのシナリオを説明する。
【００４６】
図６〜図８は、キャリアアグリゲーション（ＣＡ）の第１〜第３のシナリオを説明するための説明図である。図６を参照すると、ＣＡの第１のシナリオ（Intra-Band  contiguous）では、端末装置は、同一のオペレーティング内の隣接するＣＣを使用する。図７を参照すると、ＣＡの第２のシナリオ（Intra-Band  non-contiguous）では、端末装置は、同一のオペレーティング内の隣接しないＣＣを使用する。図８を参照すると、ＣＡの第３のシナリオ（Inter-Band  non-contiguous）では、端末装置は、異なるオペレーティング内の隣接しないＣＣを使用する。
【００４７】
＜＜２．通信システムの概略的な構成＞＞
続いて、図９を参照して、本開示の実施形態に係る通信システム１の概略的な構成を説明する。図９は、本開示の実施形態に係る通信システム１の概略的な構成の一例を示す説明図である。図９を参照すると、通信システム１は、端末装置１００、基地局２００及び制御エンティティ３００を含む。通信システム１は、例えば、ＬＴＥ、ＬＴＥ−Ａｄｖａｎｃｅｄ、又はこれらに準ずる通信規格に準拠したシステムである。
【００４８】
端末装置１００は、基地局２００との無線通信を行う。また、端末装置１００は、セル（例えば、サービングセル及び近隣セル）についての測定（measurements）を行う。また、端末装置１００は、基地局２００への測定報告（即ち、測定結果の報告）を行う。
【００４９】
基地局２００は、端末装置１００を含む１つ以上の端末装置との無線通信を行う。また、基地局２００は、端末装置により報告される測定結果に基づいて、当該端末装置のハンドオーバを決定する。基地局２００は、マクロセルの基地局（即ち、マクロ基地局）であってもよく、又はスモールセルの基地局（即ち、スモール基地局）であってもよい。
【００５０】
制御エンティティ３００は、本開示の各実施形態に応じた制御を行う。制御エンティティ３００は、例えば、既存の又は新規のコアネットワークノードである。あるいは、制御エンティティ３００は、基地局であってもよい。一例として、基地局２００がスモール基地局である場合に、制御エンティティ３００はマクロ基地局であってもよい。
【００５１】
なお、本開示の実施形態では、例えば、セル（例えば、スモールセル）の「オン状態」とは、当該セルの基地局が当該セルにおいて信号（データ信号及び制御信号）を送受信する状態である。一方、例えば、セル（例えば、スモールセル）の「オフ状態」とは、当該セルの基地局が当該セルにおいて一部の制御信号（例えば、ＤＲＳ）を除き信号を送受信しない状態である。あるいは、セルの「オフ状態」とは、当該セルの基地局が当該セルにおいていずれの信号も送受信しない状態であってもよい。
【００５２】
＜＜３．第１の実施形態＞＞
続いて、図１０及び図１１を参照して、本開示の第１の実施形態を説明する。
【００５３】
＜３．１．概略＞
一般的に、基地局は、端末装置により報告される測定結果に基づいて、当該端末装置のハンドオーバを決定する。また、端末装置は、周期的に、又はイベントの発生に応じて、測定結果を基地局へ報告する。
【００５４】
セル（例えば、スモールセル）のオン／オフ状態が切り替えられる環境では、端末装置のサービングセルがオン状態からオフ状態になり得る。この場合に、上記セルがオフ状態になる前に、上記端末装置のハンドオーバが行われることが望まれる。しかし、例えば、既存のイベントのみでは、セルがオフ状態になる前に、測定結果が基地局に報告されない可能性がある。その結果、上記端末装置のハンドオーバ先としてより良いセルが選択されないことも考えられる。
【００５５】
そこで、セルのオン／オフ状態が切り替えられる環境に適した測定報告を行うことを可能にする仕組みが提供されることが望ましい。
【００５６】
第１の実施形態では、端末装置１００−１は、サービングセルがオフ状態になる前に測定報告を行う。これにより、例えば、セルのオン／オフ状態が切り替えられる環境に適した測定報告を行うことが可能になる。より具体的には、例えば、新たなサービングセルの選択に有用な測定報告が行われる。
【００５７】
＜３．２．端末装置の構成＞
次に、図１０を参照して、第１の実施形態に係る端末装置１００−１の構成の一例を説明する。図１０は、第１の実施形態に係る端末装置１００−１の構成の一例を示すブロック図である。図１０を参照すると、端末装置１００−１は、アンテナ部１１０、無線通信部１２０、記憶部１３０及び処理部１４０を備える。
【００５８】
（アンテナ部１１０）
アンテナ部１１０は、無線通信部１２０により出力される信号を電波として空間に放射する。また、アンテナ部１１０は、空間の電波を信号に変換し、当該信号を無線通信部１２０へ出力する。
【００５９】
（無線通信部１２０）
無線通信部１２０は、信号を送受信する。例えば、無線通信部１２０は、基地局からのダウンリンク信号を受信し、基地局へのアップリンク信号を送信する。
【００６０】
（記憶部１３０）
記憶部１３０は、端末装置１００−１の動作のためのプログラム及びデータを一時的にまたは恒久的に記憶する。
【００６１】
（処理部１４０）
処理部１４０は、端末装置１００−１の様々な機能を提供する。処理部１４０は、情報取得部１４１及び制御部１４３を含む。なお、処理部１４０は、これらの構成要素以外の他の構成要素をさらに含み得る。即ち、処理部１４０は、これらの構成要素の動作以外の動作も行い得る。
【００６２】
（情報取得部１４１）
情報取得部１４１は、サービングセルがオフ状態になる予定であることを示す情報（以下、「オフ情報」と呼ぶ）を取得する。当該サービングセルは、端末装置１００−１のサービングセルである。
【００６３】
（ａ）サービングセル
例えば、上記サービングセルは、キャリアアグリゲーションのプライマリセル（Pcell）である。なお、プライマリセルは、プライマリコンポーネントキャリア（Primary  Component  Carrier：ＰＣＣ）とも呼ばれる。プライマリセルがオフ状態になることは、ＰＣＣがディアクティベートされることを意味する。
【００６４】
例えば、上記サービングセルは、スモールセルである。この場合に、基地局２００−１は、スモール基地局である。
【００６５】
以上の点を踏まえると、例えば、情報取得部１４１は、プライマリセルであるスモールセル（基地局２００−１のセル）がオフ状態になる予定であることを示す情報を取得する。
【００６６】
（ｂ）具体的な処理
例えば、基地局２００−１は、基地局２００−１のセルがオフ状態になる予定であることを示すオフ情報を端末装置１００−１へ送信し、端末装置１００−１は、当該オフ情報を受信する。そして、当該オフ情報は、記憶部１３０に記憶される。その後、情報取得部１４１は、記憶部１３０から当該オフ情報を取得する。
【００６７】
（制御部１４３）
制御部１４３は、サービングセルがオフ状態になる前に測定報告を行う。例えば、制御部１４３は、上記オフ情報の取得に応じて、測定報告を行う。上記サービングセルは、端末装置１００のサービングセルである。
【００６８】
（ａ）イベント
例えば、制御部１４３は、サービングセルがオフ状態になる予定であることが示されるというイベントの発生に応じて、測定報告を行う。即ち、上記測定報告は、例えば以下のように定義される新規のイベント（又はこれに同等の新規のイベント）によりトリガされるイベントトリガ報告（event-triggered  reporting）である。
【００６９】
【表２】
2015220658.tif 000004
【００７０】
（ｂ）測定報告
（ｂ−１）対象のセル
例えば、上記測定報告は、上記サービングセル以外のセルについての測定報告である。即ち、端末装置１００−１は、サービングセルがオフ状態になる前に、上記サービングセル以外のセルについての測定報告を行う。
【００７１】
例えば、上記サービングセル以外の上記セルは、近隣セルを含む。さらに、上述したように、上記サービングセルが、キャリアアグリゲーションのプライマリセルである場合には、上記サービングセル以外の上記セルは、近隣セルの代わりに、又は近隣セルとともに、キャリアアグリゲーションのセカンダリセルを含んでもよい。
【００７２】
これにより、例えば、基地局２００−１は、端末装置１００−１の適切なハンドオーバ先を選択することが可能になる。
【００７３】
一例として、上記サービングセル以外のセルは、最も良好な測定結果を伴うセルである。これにより、例えば、オーバーヘッドを抑えつつ、最適なハンドオーバを選択することが可能になる。
【００７４】
（ｂ−２）測定
上記測定報告は、端末装置１００−１による測定の結果の報告である。当該測定は、ＲＲＭ測定であり、例えば、受信電力又は受信品質の測定である。より具体的には、例えば、上記測定は、ＲＳＲＰ又はＲＳＲＱの測定である。
【００７５】
なお、上記測定（例えば、サービングセル及び近隣セルについての測定）は、制御部１４３により行われてもよく、処理部１４０に含まれる別の構成要素により行われてもよい。
【００７６】
＜３．３．処理の流れ＞
次に、図１１を参照して、第１の実施形態に係る処理の例を説明する。図１１は、第１の実施形態に係る処理の概略的な流れの一例を示すシーケンス図である。
【００７７】
基地局２００−１は、サービングセル（例えば、プライマリセル）がオフ状態になる予定であることを示す情報（即ち、オフ情報）を端末装置１００−１へ送信する（Ｓ４０１）。端末装置１００−１（情報取得部１４１）は、当該オフ情報を取得する。
【００７８】
端末装置１００−１（制御部１４３）は、上記サービングセル（例えば、プライマリセル）以外のセルについての測定を行う（Ｓ４０３）。
【００７９】
端末装置１００−１（制御部１４３）は、上記サービングセル以外のセルについての測定報告を行う（Ｓ４０５）。即ち、端末装置１００−１は、上記サービングセル以外のセルについての測定結果を基地局２００−１に報告する。
【００８０】
なお、端末装置１００−１は、上記オフ情報の取得（Ｓ４０１）後に測定を行う（Ｓ４０３）代わりに、上記オフ情報の取得前に行われた測定の結果を利用してもよい。
【００８１】
＜＜４．第２の実施形態＞＞
続いて、図１２〜図１４を参照して、本開示の第２の実施形態を説明する。
【００８２】
＜４．１．概略＞
一般的に、基地局は、端末装置により報告される測定結果に基づいて、当該端末装置のハンドオーバを決定する。また、端末装置は、周期的に、又はイベントの発生に応じて、測定結果を基地局へ報告する。
【００８３】
セル（例えば、スモールセル）のオン／オフ状態が切り替えられる環境では、セルのオフ状態を可能な限り継続するためには、端末装置のハンドオーバ先はオフ状態のセルではなくオン状態のセルであることがより望ましい。しかし、既存のイベントでは、スモールセルのオン／オフ状態にかかわらず測定報告が行われ得る。その結果、例えば、オフ状態のセルへのハンドオーバが頻繁に行われる可能性がある。あるいは、オフ状態のセルへのハンドオーバについて厳しい条件が設定され、当該ハンドオーバが抑制されたとしても、オフ状態のセルについての測定報告が頻繁に行われ、その結果オーバーヘッドが増加し得る。
【００８４】
そこで、セルのオン／オフ状態が切り替えられる環境に適した測定報告を行うことを可能にする仕組みが提供されることが望ましい。
【００８５】
第２の実施形態では、端末装置１００−２は、オン状態の近隣セルについての測定結果に関する第１のイベントの発生に応じて測定報告を行う。また、端末装置１００−２は、オフ状態の近隣セルについての測定結果に関する第２のイベントの発生に応じて測定報告を行う。上記第１のイベント及び上記第２のイベントは、オフセット又は閾値が異なる。これにより、例えば、セルのオン／オフ状態が切り替えられる環境に適した測定報告を行うことが可能になる。より具体的には、例えば、オフ状態のセルについての測定報告が抑えられる。
【００８６】
＜４．２．端末装置の構成＞
次に、図１２を参照して、第２の実施形態に係る端末装置１００−２の構成の一例を説明する。図１２は、第２の実施形態に係る端末装置１００−２の構成の一例を示すブロック図である。図１２を参照すると、端末装置１００−２は、アンテナ部１１０、無線通信部１２０、記憶部１３０及び処理部１５０を備える。
【００８７】
アンテナ部１１０、無線通信部１２０及び記憶部１３０についての説明は、符号の相違を除き、第１の実施形態と第２の実施形態との間で差異はない。よって、ここでは重複する記載を省略し、処理部１５０のみを説明する。
【００８８】
（処理部１５０）
処理部１５０は、端末装置１００−２の様々な機能を提供する。処理部１５０は、情報取得部１５１及び制御部１５３を含む。なお、処理部１５０は、これらの構成要素以外の他の構成要素をさらに含み得る。即ち、処理部１５０は、これらの構成要素の動作以外の動作も行い得る。
【００８９】
（情報取得部１５１）
情報取得部１５１は、近隣セルについての測定結果に関するイベントのためのオフセット又は閾値を取得する。
【００９０】
（ａ）オフセット又は閾値
上記オフセット又は上記閾値は、オン状態の近隣セルについての測定結果に関する第１のイベントのためのオフセット又は閾値と、オフ状態の近隣セルについての測定結果に関する第２のイベントのためのオフセット又は閾値とを含む。上記第２のイベントのための上記オフセット又は上記閾値は、上記第１のイベントのための上記オフセット又は上記閾値とは異なる。
【００９１】
（ｂ）具体的な処理
例えば、基地局２００−２は、上記オフセット又は上記閾値を端末装置１００−２に通知する。例えば、基地局２００−２は、システム情報（例えば、ＳＩＢ（System  Information  Block））の中で、又は個別シグナリング（例えば、ＲＲＣシグナリング）により、上記オフセット又は上記閾値を端末装置１００−２に通知する。そして、上記オフセット又は上記閾値が、記憶部１３０に記憶される。その後のいずれかのタイミングで、情報取得部１５１は、上記オフセット又は上記閾値を取得する。
【００９２】
（制御部１５３）
制御部１５３は、オン状態の近隣セルについての測定結果に関する第１のイベントの発生に応じて測定報告を行う。また、制御部１５３は、オフ状態の近隣セルについての測定結果に関する第２のイベントの発生に応じて測定報告を行う。上記第１のイベント及び上記第２のイベントは、オフセット又は閾値が異なる。
【００９３】
例えば、上記第２のイベントは、上記第１のイベントよりも厳しい発生条件を有する。
【００９４】
（ａ）第１のイベント及び第２のイベント
（ａ−１）第１の例
第１の例として、上記第１のイベントは、測定結果について、オン状態の近隣セルがサービングセルよりも第１のオフセットだけ良くなることであり、上記第２のイベントは、測定結果について、オフ状態の近隣セルがサービングセルよりも第２のオフセットだけ良くなることである。上記第２のオフセットは、上記第１のオフセットよりも大きい。
【００９５】
例えば、上記第１のイベントは、既存のイベントＡ３であり、上記第２のイベントは、既存のイベントＡ３よりも大きいオフセットを伴う以下のような新規のイベント（又はこれに同等の新規のイベント）である。
【００９６】
【表３】
2015220658.tif 000005
【００９７】
また、例えば、上記サービングセルは、キャリアアグリゲーションのプライマリセルである。この場合に、上記第２のイベントは、以下のような新規イベントである。
【００９８】
【表４】
2015220658.tif 000006
【００９９】
なお、上記第２のイベントは、新規のイベントではなく、既存のイベントＡ３であってもよい。この場合に、近隣セルの状態（オン状態又はオフ状態）に応じたオフセットが、既存のイベントＡ３に適用されてもよい。
【０１００】
このような第１の例により、例えば、オン状態の近隣セルと比べてオフ状態の近隣セルについての測定報告が抑えられる。
【０１０１】
（ａ−２）第２の例
第２の例として、上記第１のイベントは、測定結果について、オン状態の近隣セルが第１の閾値よりも良くなることであり、上記第２のイベントは、測定結果について、オフ状態の近隣セルが第２の閾値よりも良くなることである。上記第２の閾値は、上記第１の閾値よりも大きい。
【０１０２】
例えば、上記第１のイベントは、既存のイベントＡ４であり、上記第２のイベントは、既存のイベントＡ４よりも大きい閾値を伴う以下のような新規のイベント（又はこれに同等の新規のイベント）である。
【０１０３】
【表５】
2015220658.tif 000007
【０１０４】
なお、上記第２のイベントは、新規のイベントではなく、既存のイベントＡ４であってもよい。この場合に、近隣セルの状態（オン状態又はオフ状態）に応じた閾値が、既存のイベントＡ４に適用されてもよい。
【０１０５】
このような第２の例により、例えば、オン状態の近隣セルと比べてオフ状態の近隣セルについての測定報告が抑えられる。
【０１０６】
（ａ−３）第３の例
第３の例として、上記第１のイベントは、測定結果について、サービングセルが第１の閾値よりも悪くなり、オン状態の近隣セルが第２の閾値よりも良くなることであり、上記第２のイベントは、測定結果について、サービングセルが第３の閾値よりも悪くなり、オフ状態の近隣セルが第４の閾値よりも良くなることである。上記第４の閾値は上記第２の閾値よりも大きく、又は上記第３の閾値は上記第１の閾値よりも小さい。
【０１０７】
例えば、上記第１のイベントは、既存のイベントＡ５であり、上記第２のイベントは、既存のイベントＡ５とは異なる閾値を伴う以下のような新規のイベント（又はこれに同等の新規のイベント）である。
【０１０８】
【表６】
2015220658.tif 000008
【０１０９】
上記新規イベントは、既存のイベントＡ５よりも、オフ状態の近隣セルについての閾値（threshold  2）が大きく、且つ／又は、サービングセルについての閾値（threshold  1）が小さい。
【０１１０】
また、例えば、上記サービングセルは、キャリアアグリゲーションのプライマリセルである。この場合に、上記第２のイベントは、以下のような新規イベントである。
【０１１１】
【表７】
2015220658.tif 000009
【０１１２】
なお、上記第２のイベントは、新規のイベントではなく、既存のイベントＡ５であってもよい。この場合に、近隣セルの状態（オン状態又はオフ状態）に応じた閾値が、既存のイベントＡ５に適用されてもよい。
【０１１３】
このような第３の例により、例えば、オン状態の近隣セルと比べてオフ状態の近隣セルについての測定報告が抑えられる。
【０１１４】
（ａ−４）第４の例
第４の例として、上記第１のイベントは、測定結果について、オン状態の近隣セルがセカンダリセルよりも第１のオフセットだけ良くなることであり、上記第２のイベントは、測定結果について、オフ状態の近隣セルがセカンダリセルよりも第２のオフセットだけ良くなることである。上記第２のオフセットは、上記第１のオフセットよりも大きい。
【０１１５】
例えば、上記第１のイベントは、既存のイベントＡ６であり、上記第２のイベントは、既存のイベントＡ６よりも大きいオフセットを伴う以下のような新規のイベント（又はこれに同等の新規のイベント）である。
【０１１６】
【表８】
2015220658.tif 000010
【０１１７】
なお、上記第２のイベントは、新規のイベントではなく、既存のイベントＡ６であってもよい。この場合に、近隣セルの状態（オン状態又はオフ状態）に応じたオフセットが、既存のイベントＡ６に適用されてもよい。
【０１１８】
このような第１の例により、例えば、オン状態の近隣セルと比べてオフ状態の近隣セルについての測定報告が抑えられる。
【０１１９】
（ｂ）測定
上記測定報告は、端末装置１００−２による測定の結果の報告である。当該測定は、ＲＲＭ測定であり、例えば、受信電力又は受信品質の測定である。より具体的には、例えば、上記測定は、ＲＳＲＰ又はＲＳＲＱの測定である。
【０１２０】
上記測定は、リファレンス信号に基づいて行われる。当該リファレンス信号は、例えば、オン状態のセルにおいて送信されるＣＲＳ、及び／又は、オフ状態のセル（及びオン状態のセル）において送信されるＤＲＳである。
【０１２１】
なお、上記測定（例えば、サービングセル及び近隣セルについての測定）は、制御部１５３により行われてもよく、処理部１５０に含まれる別の構成要素により行われてもよい
【０１２２】
＜４．３．基地局の構成＞
次に、図１３を参照して、第２の実施形態に係る基地局２００−２の構成の一例を説明する。図１３は、第２の実施形態に係る基地局２００−２の構成の一例を示すブロック図である。図１３を参照すると、基地局２００−２は、アンテナ部２１０、無線通信部２２０、ネットワーク通信部２３０、記憶部２４０及び処理部２５０を備える。
【０１２３】
（アンテナ部２１０）
アンテナ部２１０は、無線通信部２２０により出力される信号を電波として空間に放射する。また、アンテナ部２１０は、空間の電波を信号に変換し、当該信号を無線通信部２２０へ出力する。
【０１２４】
（無線通信部２２０）
無線通信部２２０は、信号を送受信する。例えば、無線通信部２２０は、端末装置へのダウンリンク信号を送信し、端末装置からのアップリンク信号を受信する。
【０１２５】
（ネットワーク通信部２３０）
ネットワーク通信部２３０は、情報を送受信する。例えば、ネットワーク通信部２３０は、他のノードへの情報を送信し、他のノードからの情報を受信する。例えば、上記他のノードは、コアネットワーク及び他の基地局を含む。一例として、上記他のノードは、制御エンティティ３００−２を含む。
【０１２６】
（記憶部２４０）
記憶部２４０は、基地局２００−２の動作のためのプログラム及びデータを一時的にまたは恒久的に記憶する。
【０１２７】
（処理部２５０）
処理部２５０は、基地局２００−２の様々な機能を提供する。処理部２５０は、情報取得部２５１及び制御部２５３を含む。なお、処理部２５０は、これらの構成要素以外の他の構成要素をさらに含み得る。即ち、処理部２５０は、これらの構成要素の動作以外の動作も行い得る。
【０１２８】
（情報取得部２５１）
情報取得部２５１は、近隣セルについての測定結果に関するイベントのためのオフセット又は閾値を取得する。
【０１２９】
（ａ）オフセット又は閾値
上記オフセット又は上記閾値は、オン状態の近隣セルについての測定結果に関する第１のイベントのためのオフセット又は閾値と、オフ状態の近隣セルについての測定結果に関する第２のイベントのためのオフセット又は閾値とを含む。上記第２のイベントのための上記オフセット又は上記閾値は、上記第１のイベントのための上記オフセット又は上記閾値とは異なる。
【０１３０】
（ｂ）具体的な処理
例えば、上記オフセット又は上記閾値が、記憶部２４０に記憶され、情報取得部２５１は、記憶部２４０から上記オフセット又は上記閾値を取得する。
【０１３１】
（制御部２５３）
制御部２５３は、上記イベントのための上記オフセット又は上記閾値を端末装置１００−２に通知する。
【０１３２】
例えば、制御部２５３は、システム情報（例えば、ＳＩＢ）の中で、又は個別シグナリング（例えば、ＲＲＣシグナリング）により、上記オフセット又は上記閾値を端末装置１００−２に通知する。
【０１３３】
＜４．４．処理の流れ＞
次に、図１４を参照して、第２の実施形態に係る処理の例を説明する。図１４は、第２の実施形態に係る処理の概略的な流れの一例を示すシーケンス図である。
【０１３４】
基地局２００−２（制御部２５３）は、近隣セルについての測定結果に関するイベントのためのオフセット及び／又は閾値を端末装置１００−２に通知する（Ｓ４２１）。端末装置１００−２（情報取得部１５１）は、当該オフセット及び／又は当該閾値を取得する。
【０１３５】
端末装置１００−２（処理部２５０）は、セルについての測定を行う（Ｓ４２３）。当該セルは、サービングセル及び隣接セルを含む。
【０１３６】
端末装置１００−２（制御部１５３）は、イベントの発生に応じて測定報告を行う（Ｓ４２５）。即ち、端末装置１００−２は、セルについての測定結果を基地局２００−２へ報告する。例えば、端末装置１００−２（制御部１５３）は、オン状態の近隣セルの測定結果に関する第１のイベントの発生に応じて測定報告を行う。また、端末装置１００−２（制御部１５３）は、オフ状態の近隣セルの測定結果に関する第２のイベントの発生に応じて測定報告を行う。上記第１のイベント及び上記第２のイベントは、オフセット又は閾値が異なる。
【０１３７】
＜＜５．第３の実施形態＞＞
続いて、図１５及び図１６を参照して、本開示の第３の実施形態を説明する。
【０１３８】
＜５．１．概略＞
一般的に、基地局は、端末装置により報告される測定結果に基づいて、当該端末装置のハンドオーバを決定する。また、端末装置は、周期的に、又はイベントの発生に応じて、測定結果を基地局へ報告する。
【０１３９】
セル（例えば、スモールセル）のオン／オフ状態が切り替えられる環境において、キャリアアグリゲーションが行われる場合に、各コンポーネントキャリア（ＣＣ）がアクティベート／ディアクティベートされる。例えば、端末装置のトラフィックが増えると、ディアクティベートされているＣＣがアクティベートされることが望まれる（即ち、オフ状態のセルがオン状態にされることが望まれる）。しかし、既存のイベントでは、端末装置のトラフィックが増えた際に、測定結果が基地局に報告されない可能性がある。
【０１４０】
そこで、セルのオン／オフ状態が切り替えられる環境に適した測定報告を行うことを可能にする仕組みが提供されることが望ましい。
【０１４１】
第３の実施形態では、端末装置１００−３は、端末装置１００−３のトラフィックに関する所定の条件が満たされる場合に測定報告を行う。これにより、例えば、セルのオン／オフ状態が切り替えられる環境に適した測定報告を行うことが可能になる。より具体的には、例えば、トラフィックの増加に応じて追加されるキャリア（セル）の選択に有用な測定報告が行われる。
【０１４２】
＜５．２．端末装置の構成＞
次に、図１５を参照して、第３の実施形態に係る端末装置１００−３の構成の一例を説明する。図１５は、第３の実施形態に係る端末装置１００−３の構成の一例を示すブロック図である。図１５を参照すると、端末装置１００−３は、アンテナ部１１０、無線通信部１２０、記憶部１３０及び処理部１６０を備える。
【０１４３】
アンテナ部１１０、無線通信部１２０及び記憶部１３０についての説明は、符号の相違を除き、第１の実施形態と第３の実施形態との間で差異はない。よって、ここでは重複する記載を省略し、処理部１６０のみを説明する。
【０１４４】
（処理部１６０）
処理部１６０は、端末装置１００−３の様々な機能を提供する。処理部１６０は、情報取得部１６１及び制御部１６３を含む。なお、処理部１６０は、これらの構成要素以外の他の構成要素をさらに含み得る。即ち、処理部１６０は、これらの構成要素の動作以外の動作も行い得る。
【０１４５】
（情報取得部１６１）
情報取得部１６１は、端末装置１００−３のトラフィックに関する情報（以下、「トラフィック情報」と呼ぶ）を取得する。
【０１４６】
第１の例として、上記トラフィック情報は、端末装置１００−３のトラフィックロードである。第２の例として、上記トラフィック情報は、端末装置１００−３のトラフィック量であってもよい。
【０１４７】
例えば、処理部１６０は、上記トラフィック情報を算出し、情報取得部１６１は、当該トラフィック情報を取得する。
【０１４８】
（制御部１６３）
制御部１６３は、上記トラフィック情報に関する所定の条件が満たされる場合に測定報告を行う。
【０１４９】
（ａ）所定の条件
（ａ−１）第１の例
上述したように、第１の例として、上記トラフィック情報は、端末装置１００−３のトラフィックロードである。この場合に、上記所定の条件は、端末装置１００−３のトラフィックロードが閾値以上になることである。即ち、制御部１６３は、端末装置１００−３のトラフィックロードが閾値以上になる場合に測定報告を行う。
【０１５０】
（ａ−２）第２の例
上述したように、第２の例として、上記トラフィック情報は、端末装置１００−３のトラフィック量であってもよい。この場合に、上記所定の条件は、端末装置１００−３のトラフィック量が閾値以上になることであってもよい。即ち、制御部１６３は、端末装置１００−３のトラフィック量が閾値以上になる場合に測定報告を行ってもよい。なお、該上記閾値は、端末装置１００−３の平均スループットであってもよい。
【０１５１】
（ｂ）測定報告
（ｂ−１）対象のセル
例えば、上記測定報告は、オフ状態のセルについての測定報告を含む。より具体的には、例えば、上記測定報告は、オフ状態のスモールセルについての測定報告を含む。即ち、制御部１６３は、上記所定の条件が満たされる場合に、オフ状態のスモールセルについての測定報告を行う。
【０１５２】
これにより、例えば、トラフィックの増加に応じてオフ状態のセルをオン状態に切り替えられ得る。
【０１５３】
なお、上記測定報告は、オン状態のセルについての測定報告を含んでもよい。
【０１５４】
（ｂ−２）測定
上記測定報告は、端末装置１００−３による測定の結果の報告である。当該測定は、ＲＲＭ測定であり、例えば、受信電力又は受信品質の測定である。より具体的には、例えば、上記測定は、ＲＳＲＰ又はＲＳＲＱの測定である。
【０１５５】
上記測定は、リファレンス信号に基づいて行われる。当該リファレンス信号は、例えば、オン状態のセルにおいて送信されるＣＲＳ、及び／又は、オフ状態のセル（及びオン状態のセル）において送信されるＤＲＳである。
【０１５６】
なお、上記測定（例えば、サービングセル及び近隣セルについての測定）は、制御部１６３により行われてもよく、処理部１６０に含まれる別の構成要素により行われてもよい。
【０１５７】
＜５．３．処理の流れ＞
次に、図１６を参照して、第３の実施形態に係る処理の例を説明する。図１６は、第３の実施形態に係る処理の概略的な流れの一例を示すフローチャートである。
【０１５８】
情報取得部１６１は、端末装置１００−３のトラフィックに関する情報（即ち、トラフィック情報）を取得する（Ｓ４４１）。
【０１５９】
そして、情報取得部１６１は、上記トラフィック情報に関する所定の条件が満たされるかを判定する（Ｓ４４３）。上記所定の条件が満たされない場合には（Ｓ４４３：ＮＯ）、処理は終了する。
【０１６０】
上記所定の条件が満たされる場合には（Ｓ４４３：ＹＥＳ）、制御部１６３は測定報告を行う（Ｓ４４５）。当該測定報告は、例えば、オフ状態のセルについての測定報告を含む。そして、処理は終了する。
【０１６１】
＜＜６．第４の実施形態＞＞
続いて、図１７及び図１８を参照して、本開示の第４の実施形態を説明する。
【０１６２】
＜６．１．概略＞
近隣セルへの干渉を抑えるために、セル（例えば、スモールセル）のオン／オフ状態を適応的に切り替えることが検討されている。
【０１６３】
しかし、例えば、端末装置による測定の結果（のみ）に基づいてセルのオン／オフ状態が切り替えられると、端末装置にとっての必要性が低いにもかかわらず、セルがオン状態からオフ状態に切り替えられる可能性がある。一例として、端末装置が非常に少量のパケットを送信しようとしている場合に、信号強度が小さいオン状態のセルにおいて端末装置が即座に通信するのではなく、信号強度が大きいオフ状態のセルがオン状態に切替えられ、その後端末装置が当該セルにおいて通信する可能性がある。
【０１６４】
そこで、セルのオン／オフ状態をより適切に切り替えることを可能にする仕組みが提供されることが望ましい。
【０１６５】
第４の実施形態では、制御エンティティ３００−４は、端末装置１００−４により報告される、オフ状態のセルについての測定結果と、端末装置１００−４のバッファステータスに関する情報とに基づいて、上記セルのオン状態への切替えを決定する。これにより、例えば、セルのオン／オフ状態をより適切に切り替えることが可能になる。より具体的には、例えば、必要性が高い場合に、オフ状態のセルがオン状態に切り替えられる。
【０１６６】
＜６．２．制御エンティティの構成＞
次に、図１７を参照して、第４の実施形態に係る制御エンティティ３００−４の構成の一例を説明する。図１７は、第４の実施形態に係る制御エンティティ３００−４の構成の一例を示すブロック図である。図１７を参照すると、制御エンティティ３００−４は、通信部３１０、記憶部３２０及び処理部３３０を備える。
【０１６７】
（通信部３１０）
通信部３１０は、情報を送受信する。例えば、通信部３１０は、他のノードへの情報を送信し、他のノードからの情報を受信する。例えば、上記他のノードは、コアネットワーク及び基地局を含む。一例として、上記他のノードは、基地局２００−４を含む。
【０１６８】
（記憶部３２０）
記憶部３２０は、制御エンティティ３００−４の動作のためのプログラム及びデータを一時的にまたは恒久的に記憶する。
【０１６９】
（処理部３３０）
処理部３３０は、制御エンティティ３００−４の様々な機能を提供する。処理部３３０は、情報取得部３３１及び制御部３３３を含む。なお、処理部３３０は、これらの構成要素以外の他の構成要素をさらに含み得る。即ち、処理部３３０は、これらの構成要素の動作以外の動作も行い得る。
【０１７０】
（情報取得部３３１）
情報取得部３３１は、端末装置１００−４により報告される、オフ状態のセルについての測定結果と、端末装置１００−４のバッファステータスに関する情報とを取得する。上記セルは、例えば、オフ状態のスモールセルである。
【０１７１】
例えば、上記情報は、端末装置１００−４からのバッファステータスレポート（Buffer  Status  Report：ＢＳＲ）である。
【０１７２】
具体的には、例えば、端末装置１００−４は、オフ状態のセルについての測定結果を、端末装置１００−４のＢＳＲとともに基地局２００に報告する。そして、基地局２００−４は、上記測定結果及び上記ＢＲＳを制御エンティティ３００−４に提供する。そして、情報取得部３３１は、上記測定結果及び上記ＢＲＳを取得する。
【０１７３】
なお、端末装置１００−４は、上記測定結果とともにＢＳＲを報告せず、基地局２００が、既に取得しているＢＳＲを、上記測定結果とともに制御エンティティ３００−４に提供してもよい。また、上記情報は、ＢＳＲではなく、端末装置１００−４のバッファステータスを示す別の情報であってもよい。
【０１７４】
（制御部３３３）
制御部３３３は、上記測定結果及び上記情報（例えば、ＢＳＲ）に基づいて、上記セルのオン状態への切替えを決定する。
【０１７５】
例えば、制御部３３３は、上記測定結果が良好であり、且つ、端末装置１００−４のバッファに多くのデータが蓄積されている場合に、上記セルのオン状態への切替えを決定する。より具体的には、例えば、制御部３３３は、上記測定結果が第１の閾値以上であり、且つ、端末装置１００−４のバッファにおける蓄積データ量が第２の閾値以上である場合に、上記セルのオン状態への切替えを決定する。
【０１７６】
また、例えば、制御部３３３は、上記切替えを決定すると、当該切替えを、上記セルの基地局に指示する。
【０１７７】
なお、当然ながら、制御部３３３は、１つの端末装置１００−４からの上記測定結果及び上記情報（例えば、ＢＳＲ）のみではなく、複数の端末装置１００−４からの上記測定結果及び上記情報（例えば、ＢＳＲ）に基づいて、上記セルのオン状態への切替えを決定してもよい。
【０１７８】
＜６．３．処理の流れ＞
次に、図１８を参照して、第４の実施形態に係る処理の例を説明する。図１８は、第４の実施形態に係る処理の概略的な流れの一例を示すシーケンス図である。
【０１７９】
端末装置１００−４は、オフ状態のセルについての測定結果及びＢＳＲを基地局２００−４に報告する（Ｓ４６１）。
【０１８０】
基地局２００−４は、上記測定結果及び上記ＢＳＲを制御エンティティ３００−４に提供する（Ｓ４６３）。制御エンティティ３００−４（情報取得部３３１）は、上記測定結果及び上記ＢＳＲを取得する。
【０１８１】
制御エンティティ３００−４（制御部３３３）は、上記測定結果及び上記ＢＳＲに基づいて、オフ状態の上記セルのオン状態への切替えを決定する（Ｓ４６５）。
【０１８２】
そして、制御エンティティ３００−４（制御部３３３）は、上記切替えを、上記セルの基地局に指示する（Ｓ４６７）。
【０１８３】
＜＜７．第５の実施形態＞＞
続いて、図１９及び図２０を参照して、本開示の第５の実施形態を説明する。
【０１８４】
＜７．１．概略＞
一般的に、端末装置は、ネットワーク（基地局）から提供される近隣セルリスト（Neighbour  Cell  List：ＮＣＬ）に基づいて測定を行う。
【０１８５】
セル（例えば、スモールセル）のオン／オフ状態が切り替えられる環境では、オフ状態のセルの基地局は、ＤＲＳを送信し、端末装置は、ＤＲＳに基づいて、オフ状態の上記セルについての測定を行う。そして、測定結果に応じて測定報告が行われ、オフ状態の上記セルがオン状態に切替えられ得る。しかし、例えば、既存のＮＣＬでは、セルのオン／オフ状態は考慮されていないので、端末装置は、望ましくない測定及び測定報告を行い得る。一例として、端末装置が、セルについての測定及び測定報告を行い、当該セルへの当該端末装置のハンドオーバが行われた後に、当該セルが、オン状態からオフ状態に切り替えられ得る。その結果、さらなるハンドオーバが必要になり、システムパフォーマンスが低下し得る。
【０１８６】
そこで、セルのオン／オフ状態が切り替えられる環境に適した測定報告を行うことを可能にする仕組みが提供されることが望ましい。
【０１８７】
第５の実施形態では、基地局２００−５は、セルのオン／オフ状態の予定に関する情報に基づいて、端末装置１００−５により測定が行われるセルの候補、又は当該セルの候補の優先度を決定する。これにより、例えば、セルのオン／オフ状態が切り替えられる環境に適した測定報告を行うことが可能になる。より具体的には、例えば、オフ状態になりそうなセルについての測定報告よりも、オフ状態になりそうにないセルについての測定報告が行われる。その結果、オフ状態になりそうにないセルへのハンドオーバが行われ得る。
【０１８８】
＜７．２．基地局の構成＞
次に、図１９を参照して、第５の実施形態に係る基地局２００−５の構成の一例を説明する。図１９は、第５の実施形態に係る基地局２００−５の構成の一例を示すブロック図である。図１９を参照すると、基地局２００−５は、アンテナ部２１０、無線通信部２２０、ネットワーク通信部２３０、記憶部２４０及び処理部２６０を備える。
【０１８９】
アンテナ部２１０、無線通信部２２０、ネットワーク通信部２３０及び記憶部２４０についての説明は、符号の相違を除き、第２の実施形態と第５の実施形態との間で差異はない。よって、ここでは重複する記載を省略し、処理部２６０のみを説明する。
【０１９０】
（処理部２６０）
処理部２６０は、基地局２００−５の様々な機能を提供する。処理部２６０は、情報取得部２６１及び制御部２６３を含む。なお、処理部２６０は、これらの構成要素以外の他の構成要素をさらに含み得る。即ち、処理部２６０は、これらの構成要素の動作以外の動作も行い得る。
【０１９１】
（情報取得部２６１）
情報取得部２６１は、セルのオン／オフ状態の予定に関する情報（以下、「オン／オフ予定関連情報」と呼ぶ）を取得する。当該セルは、例えば、スモールセルである。
【０１９２】
（ａ）オン／オフ予定関連情報
（ａ−１）オフ予定情報
第１の例として、上記オン／オフ予定関連情報は、オン状態からオフ状態への切替えの予定を示す情報（以下、「オフ予定情報」と呼ぶ）である。例えば、上記オフ予定情報は、オン状態からオフ状態への切替えの予定を有するセルを示す。具体的には、上記オフ予定情報は、オン状態からオフ状態への切替えの予定を有するセルのみを示す情報であってもよく、あるいは、セルごとに上記予定の有無を示す情報であってもよい。
【０１９３】
（ａ−２）オン状態継続時間情報
第２の例として、上記オン／オフ予定関連情報は、セルのオン状態が継続する時間（以下、「オン状態継続時間」と呼ぶ）を示す情報（以下、「オン状態継続時間情報」と呼ぶ）であってもよい。例えば、上記オン状態継続時間情報は、セルごとに、セルのオン状態が継続する時間（即ち、オン状態継続時間）を示す。
【０１９４】
例えば、セルは、少なくともオン状態継続時間まではオン状態を継続する。なお、セルは、オン状態継続時間が到来した後に、オン状態をさらに継続してもよく、オン状態継続時間が到来すると、オフ状態に切替えられてもよい。
【０１９５】
なお、上記オン状態継続時間は、絶対的な時間（例えば、ＳＦＮ（System  Frame  Number）など）であってもよく、又は、いずれかの時間を基準とする相対的な時間であってもよい。
【０１９６】
なお、上記オン状態継続時間は、スモールセル内のバッファステータス、収容ユーザ数、トラフィック量、及びオン／オフ統計データなどの、スモールセルのパラメータに基づいて、算出され得る。
【０１９７】
（ｂ）具体的な処理
例えば、他のノード（例えば、制御エンティティ３００−５）が、上記オン／オフ予定関連情報を生成し、当該オン／オフ予定関連情報を基地局２００−５に提供する。そして、当該オン／オフ予定関連情報が、記憶部２４０に記憶される。その後のいずれかのタイミングで、情報取得部２６１は、記憶部２４０から、上記オン／オフ予定関連情報を取得する。
【０１９８】
（制御部２６３）
（ａ）セル候補／優先度の決定
制御部２６３は、上記オン／オフ予定関連情報に基づいて、端末装置１００−５により測定が行われるセルの候補、又は当該セルの候補の優先度を決定する。
【０１９９】
（ａ−１）オフ予定情報
上述したように、第１の例として、上記オン／オフ予定関連情報は、上記オフ予定情報（即ち、オン状態からオフ状態への切替えの予定を示す情報）である。
【０２００】
この場合に、例えば、制御部２６３は、オン状態からオフ状態への切替えの予定を有するセルを上記セルの候補には含めない。より具体的には、例えば、制御部２６３は、オン状態からオフ状態への切替えの予定を有するセルがＮＣＬに含まれないように、ＮＣＬを決定する。これにより、例えば、オフ状態の予定を有しないセルについての測定報告のみが行われる。
【０２０１】
あるいは、制御部２６３は、オン状態からオフ状態への切替えの予定を有するセルの優先度をより低くしてもよい。より具体的には、制御部２６３は、オン状態からオフ状態への切替えの予定を有するセルの優先度が低く（例えば、最低の優先度）になるように、ＮＣＬを決定してもよい。これにより、例えば、オフ状態の予定を有しないセルについての測定報告が優先的に行われる。
【０２０２】
（ａ−２）オン状態継続時間情報
上述したように、第２の例として、上記オン／オフ予定関連情報は、上記オン状態継続時間情報（即ち、セルのオン状態が継続する時間（オン状態継続時間）を示す情報）であってもよい。
【０２０３】
この場合に、制御部２６３は、オン状態継続時間が所定の期間内に到来するセルを上記セルの候補には含めないようにしてもよい。より具体的には、制御部２６３は、オン状態継続時間が所定の期間内に到来するセルがＮＣＬに含まれないように、ＮＣＬを決定してもよい。これにより、例えば、十分な期間にわたってオン状態を継続するセルについての測定報告のみが行われる。
【０２０４】
あるいは、制御部２６３は、オン状態継続時間が所定の期間内に到来するセルの優先度を低くしてもよい。より具体的には、制御部２６３は、オン状態継続時間が所定の期間内に到来するセルの優先度が低く（例えば、最低の優先度）になるように、ＮＣＬを決定してもよい。これにより、例えば、十分な時間にわたってオン状態を継続するセルについての測定報告が優先的に行われる。
【０２０５】
なお、上記オン状態継続時間情報が、端末装置１００−５ごとに生成される場合には、上記「所定の期間」は、「端末装置１００−５によるデータの送信ための期間」に置き換えられてもよい。即ち、制御部２６３は、端末装置１００−５によるデータの送信のための期間内にオン状態継続時間が到来するセルを上記セルの候補には含めないようにしてもよく、又は、端末装置１００−５によるデータの送信のための期間内にオン状態継続時間が到来するセルの優先度をより低くしてもよい。
【０２０６】
また、ＮＣＬにおけるセルの候補、及び／又は、ＮＣＬにおける優先度は、オン／オフ予定関連情報のみではなく、ＢＳＲ（Buffer  Status  Report）、ＱｏＳ（Quality  of  Service）、及び／又は通信状況の統計データなどの他の情報にさらに基づいて、決定され得る。
【０２０７】
（ａ−３）測定
上記測定は、ＲＲＭ測定であり、例えば、受信電力又は受信品質の測定である。より具体的には、例えば、上記測定は、ＲＳＲＰ又はＲＳＲＱの測定である。
【０２０８】
一例として、上記測定は、Ｉｎｔｅｒ−Ｆｒｅｑｕｅｎｃｙ  ｍｅａｓｕｒｅｍｅｎｔである。即ち、上記測定は、端末装置１００−５により使用されていない周波数帯域（例えば、コンポーネントキャリア）についての測定である。
【０２０９】
（ｂ）通知
例えば、制御部２６３は、決定される上記セルの候補又は上記優先度を端末装置１００−５に通知する。
【０２１０】
より具体的には、例えば、制御部２６３は、決定される上記セルの候補又は上記優先度を示すＮＣＬを、端末装置１００−５に通知する。例えば、制御部２６３は、システム情報（例えば、ＳＩＢ）の中で、ＮＣＬを端末装置１００−５に通知する。なお、制御部２６３は、個別のシグナリング（例えば、ＲＲＣシグナリング）により、ＮＣＬを端末装置１００−５に通知してもよい。
【０２１１】
＜７．３．処理の流れ＞
次に、図２０を参照して、第５の実施形態に係る処理の例を説明する。図２０は、第５の実施形態に係る処理の概略的な流れの一例を示すシーケンス図である。
【０２１２】
基地局２００−５（情報取得部２６１）は、セルのオン／オフ状態の予定に関する情報（即ち、オン／オフ予定関連情報）を取得する（Ｓ４８１）。
【０２１３】
そして、基地局２００−５（制御部２６３）は、上記オン／オフ予定関連情報に基づいて、端末装置１００−５により測定が行われるセルの候補、又は当該セルの候補の優先度を決定する（Ｓ４８３）。具体的には、例えば、基地局２００−５は、上記オン／オフ予定関連情報に基づいてＮＣＬを決定する。
【０２１４】
その後、基地局２００−５（制御部２６３）は、上記ＮＣＬを端末装置１００−５に通知する（Ｓ４８５）。
【０２１５】
端末装置１００−５は、上記ＮＣＬに基づいて測定を行う（Ｓ４８７）。具体的には、例えば、端末装置１００−５は、上記ＮＣＬに含まれるセルの候補の優先度に従って、上記ＮＣＬに含まれるセルの候補についての測定を行う。
【０２１６】
その後、端末装置１００−５は、測定報告を行う（Ｓ４８９）。
【０２１７】
以上、第５の実施形態を説明した。なお、第５の実施形態では、基地局２００−５が、オン／オフ予定関連情報を取得し、当該オン／オフ予定関連情報に基づいて、端末装置１００−５により測定が行われるセルの候補、又は当該セルの候補の優先度を決定するが、第５の実施形態は係る例に限定されない。例えば、基地局２００−５の代わりに、制御エンティティ３００−５が、オン／オフ予定関連情報を取得し、当該オン／オフ予定関連情報に基づいて、端末装置１００−５により測定が行われるセルの候補、又は当該セルの候補の優先度を決定してもよい。そして、制御エンティティ３００−５が、決定される上記セルの候補又は上記優先度を基地局２００−５に通知してもよい。
【０２１８】
＜＜８．第６の実施形態＞＞
続いて、図２１及び図２２を参照して、本開示の第６の実施形態を説明する。
【０２１９】
＜８．１．概略＞
第５の実施形態では、基地局２００−５が、セルのオン／オフ状態の予定に関する情報に基づいて、端末装置１００−５により測定が行われるセルの候補、又は当該セルの候補の優先度を決定する。
【０２２０】
一方、第６の実施形態では、端末装置１００−６が、セルのオン／オフ状態の予定に関する情報に基づいて、端末装置１００−６により測定が行われるセルの候補、又は当該セルの候補の優先度を決定する。
【０２２１】
＜８．２．端末装置の構成＞
次に、図２１を参照して、第６の実施形態に係る端末装置１００−６の構成の一例を説明する。図２１は、第６の実施形態に係る端末装置１００−６の構成の一例を示すブロック図である。図２１を参照すると、端末装置１００−６は、アンテナ部１１０、無線通信部１２０、記憶部１３０及び処理部１７０を備える。
【０２２２】
アンテナ部１１０、無線通信部１２０及び記憶部１３０についての説明は、符号の相違を除き、第１の実施形態と第６の実施形態との間で差異はない。よって、ここでは重複する記載を省略し、処理部１７０のみを説明する。
【０２２３】
（処理部１７０）
処理部１７０は、端末装置１００−６の様々な機能を提供する。処理部１７０は、情報取得部１７１及び制御部１７３を含む。なお、処理部１７０は、これらの構成要素以外の他の構成要素をさらに含み得る。即ち、処理部１７０は、これらの構成要素の動作以外の動作も行い得る。
【０２２４】
（情報取得部１７１）
情報取得部１７１は、セルのオン／オフ状態の予定に関する情報（以下、「オン／オフ予定関連情報」と呼ぶ）を取得する。当該セルは、例えば、スモールセルである。
【０２２５】
（ａ）オン／オフ予定関連情報
オン／オフ予定関連情報についての説明は、第５の実施形態と第６の実施形態との間に差異はない。よって、ここでは重複する記載を省略する。
【０２２６】
（ｂ）具体的な処理
例えば、基地局２００−６は、上記オン／オフ予定関連情報を端末装置１００−６に通知する。具体的には、例えば、基地局２００−６は、システム情報（例えば、ＳＩＢ）の中で、又は個別のシグナリング（例えば、ＲＲＣシグナリング）により、上記オン／オフ予定関連情報を端末装置１００−６に通知する。そして、当該オン／オフ予定関連情報が、記憶部１３０に記憶される。その後のいずれかのタイミングで、情報取得部１７１は、記憶部１３０から、上記オン／オフ予定関連情報を取得する。
【０２２７】
以上のように、情報取得部１７１は、上記オン／オフ予定関連情報を取得する。また、例えば、情報取得部１７１は、ＮＣＬを取得する。なお、上記オン／オフ予定関連情報は、ＮＣＬの中に含まれてもよく、又はＮＣＬとは別の情報であってもよい。上記オン／オフ予定関連情報は、ＮＣＬとは別の情報である場合には、ＮＣＬとともに端末装置１００−６に通知されてもよく、又はＮＣＬとは別々に端末装置１００−６に通知されてもよい。
【０２２８】
（制御部１７３）
（ａ）セル候補／優先度の決定
制御部１７３は、上記オン／オフ予定関連情報に基づいて、端末装置１００−６により測定が行われるセルの候補、又は当該セルの候補の優先度を決定する。
【０２２９】
（ａ−１）オフ予定情報
第１の例として、上記オン／オフ予定関連情報は、上記オフ予定情報（即ち、オン状態からオフ状態への切替えの予定を示す情報）である。
【０２３０】
この場合に、例えば、制御部１７３は、オン状態からオフ状態への切替えの予定を有するセルを上記セルの候補には含めない。より具体的には、例えば、制御部１７３は、ＮＣＬに含まれる近隣セルのうちの、上記切替えの予定を有しないセルを、端末装置１００−６により測定が行われるセルの候補として決定する。これにより、例えば、オフ状態の予定を有しないセルについての測定及び測定報告のみが行われる。
【０２３１】
あるいは、制御部１７３は、オン状態からオフ状態への切替えの予定を有するセルの優先度をより低くしてもよい。より具体的には、制御部１７３は、ＮＣＬに含まれる近隣セルの優先度うちの、上記切替えの予定を有するセルの優先度を、より低い優先度（例えば、最低の優先度）に変更してもよい。これにより、例えば、オフ状態の予定を有しないセルについての測定及び測定報告が優先的に行われる。
【０２３２】
（ａ−２）オン状態継続時間情報
第２の例として、上記オン／オフ予定関連情報は、上記オン状態継続時間情報（即ち、セルのオン状態が継続する時間（オン状態継続時間）を示す情報）であってもよい。
【０２３３】
この場合に、制御部１７３は、端末装置１００−６によるデータの送信のための期間内にオン状態継続時間が到来するセルを上記セルの候補には含めないようにしてもよい。より具体的には、例えば、制御部１７３は、端末装置１００−６のバッファステータスなどから、データの送信のための期間（例えば、データの送信のために十分な期間）を推定してもよい。そして、制御部１７３は、ＮＣＬに含まれる近隣セルのうちの、推定される上記期間内にオン状態継続時間が到来しないセルを、端末装置１００−６により測定が行われるセルの候補として決定してもよい。これにより、例えば、十分な期間にわたってオン状態を継続するセルについての測定報告のみが行われる。
【０２３４】
あるいは、制御部１７３は、端末装置１００−６によるデータの送信のための期間内にオン状態継続時間が到来するセルの優先度を低くしてもよい。より具体的には、より具体的には、例えば、制御部１７３は、端末装置１００−６のバッファステータスなどから、データの送信のための期間（例えば、データの送信のために十分な期間）を推定してもよい。そして、制御部１７３は、ＮＣＬに含まれる近隣セルの優先度うちの、推定される上記期間内にオン状態継続時間が到来するセルの優先度を、より低い優先度（例えば、最低の優先度）に変更してもよい。これにより、例えば、十分な時間にわたってオン状態を継続するセルについての測定報告が優先的に行われる。
【０２３５】
なお、上記「端末装置１００−６によるデータの送信のための期間」は、「所定の期間」に置き換えられてもよい。即ち、制御部１７３は、オン状態継続時間が所定の期間内に到来するセルを上記セルの候補には含めないようにしてもよく、又は、オン状態継続時間が所定の期間内に到来するセルの優先度を低くしてもよい。
【０２３６】
（ａ−３）測定
上記測定は、ＲＲＭ測定であり、例えば、受信電力又は受信品質の測定である。より具体的には、例えば、上記測定は、ＲＳＲＰ又はＲＳＲＱの測定である。
【０２３７】
一例として、上記測定は、Ｉｎｔｅｒ−Ｆｒｅｑｕｅｎｃｙ  ｍｅａｓｕｒｅｍｅｎｔである。即ち、上記測定は、端末装置１００−５により使用されていない周波数帯域（例えば、コンポーネントキャリア）についての測定である。
【０２３８】
（ｂ）測定及び測定報告
例えば、制御部１７３は、決定された上記セルの候補又は上記優先度に基づいて、測定を行う。具体的には、例えば、制御部１７３は、決定されたセルの候補についての測定を行う。あるいは、制御部１７３は、決定された優先度に従って、セルの候補についての測定を行う。
【０２３９】
また、例えば、制御部１７３は、基地局２００−６への測定報告を行う。即ち、制御部１７３は、上記測定の結果を基地局２００−６に報告する。
【０２４０】
なお、測定及び測定報告の少なくとも一方は、制御部１７３ではなく、処理部１７０に含まれる別の構成要素により行われてもよい。
【０２４１】
＜８．３．処理の流れ＞
次に、図２２を参照して、第６の実施形態に係る処理の例を説明する。図２２は、第６の実施形態に係る処理の概略的な流れの一例を示すシーケンス図である。
【０２４２】
基地局２００−６は、ＮＣＬを端末装置１００−６に通知する（Ｓ５０１）。端末装置１００−６（情報取得部１７１）は、当該ＮＣＬを取得する。
【０２４３】
また、基地局２００−６は、セルのオン／オフ状態の予定に関する情報（即ち、オン／オフ予定関連情報）を端末装置１００−６に通知する（Ｓ５０３）。端末装置１００−６（情報取得部１７１）は、当該情報を取得する。
【０２４４】
その後、端末装置１００−６（制御部１７３）は、上記オン／オフ予定関連情報に基づいて、端末装置１００−６により測定が行われるセルの候補、又は当該セルの候補の優先度を決定する（Ｓ５０５）。
【０２４５】
そして、端末装置１００−６は、決定された上記セルの候補又は上記優先度（及びＮＣＬ）に基づいて測定を行う（Ｓ５０７）。
【０２４６】
その後、端末装置１００−６は、測定報告を行う（Ｓ５０９）。
【０２４７】
＜＜９．第７の実施形態＞＞
続いて、図２２〜図２５を参照して、本開示の第７の実施形態を説明する。
【０２４８】
＜９．１．概略＞
近隣セルへの干渉を抑えるために、セル（例えば、スモールセル）のオン／オフ状態を適応的に切り替えることが検討されている。しかし、セルへの端末装置のハンドオーバ後に、当該セルがオフ状態に切り替えられ、当該端末装置が当該セルにおいてほとんど通信できない可能性がある。
【０２４９】
そこで、オン／オフ状態の切替えを伴うセルにおいても端末装置がある程度の時間通信することを可能にする仕組みが提供されることが望ましい。
【０２５０】
第７の実施形態では、端末装置１００−７は、オン／オフ状態の切替えを伴うセルであるサービングセルのオン状態の継続を要求する。これにより、例えば、オン／オフ状態の切替えを伴うセルにおいても端末装置１００−７がある程度の時間通信することが可能になる。
【０２５１】
＜９．２．端末装置の構成＞
次に、図２３を参照して、第７の実施形態に係る端末装置１００−７の構成の一例を説明する。図２３は、第７の実施形態に係る端末装置１００−７の構成の一例を示すブロック図である。図２３を参照すると、端末装置１００−７は、アンテナ部１１０、無線通信部１２０、記憶部１３０及び処理部１８０を備える。
【０２５２】
アンテナ部１１０、無線通信部１２０及び記憶部１３０についての説明は、符号の相違を除き、第１の実施形態と第７の実施形態との間で差異はない。よって、ここでは重複する記載を省略し、処理部１８０のみを説明する。
【０２５３】
（情報取得部１８１）
情報取得部１８１は、サービングセルがオン／オフ状態の切替えを伴うセルであることを示す情報を取得する。当該サービングセルは、基地局２００−７のセルである。また、例えば、当該サービングセルは、スモールセルである。
【０２５４】
例えば、基地局２００−７は、基地局２００−７のセルがオン／オフ状態の切替えを伴うセルであることを示す情報を端末装置１００−７へ送信し、端末装置１００−７は、当該情報を受信する。そして、当該情報は、記憶部１３０に記憶される。その後のいずれかのタイミングで、情報取得部１８１は、上記情報を取得する。
【０２５５】
（制御部１８３）
制御部１８３は、サービングセルのオン状態の継続を要求する。
【０２５６】
例えば、制御部１８３は、端末装置１００−７のサービングセルがオン／オフ状態の切替えを伴うセルである場合に、サービングセルのオン状態の継続を要求する。
【０２５７】
例えば、制御部１８３は、基地局２００−７（サービングセルの基地局）に、サービングセルのオン状態の継続を要求する。より具体的には、例えば、制御部１８３は、アンテナ部１１０及び無線通信部１２０を介して、オン状態の継続を要求するためのオン状態継続要求メッセージを基地局２００−７へ送信する。
【０２５８】
＜９．３．基地局の構成＞
次に、図２４を参照して、第７の実施形態に係る基地局２００−７の構成の一例を説明する。図２４は、第７の実施形態に係る基地局２００−７の構成の一例を示すブロック図である。図２４を参照すると、基地局２００−７は、アンテナ部２１０、無線通信部２２０、ネットワーク通信部２３０、記憶部２４０及び処理部２７０を備える。
【０２５９】
アンテナ部２１０、無線通信部２２０、ネットワーク通信部２３０及び記憶部２４０についての説明は、符号の相違を除き、第２の実施形態と第７の実施形態との間で差異はない。よって、ここでは重複する記載を省略し、処理部２７０のみを説明する。
【０２６０】
（処理部２７０）
処理部２７０は、基地局２００−７の様々な機能を提供する。処理部２７０は、情報取得部２７１及び制御部２７３を含む。なお、処理部２７０は、これらの構成要素以外の他の構成要素をさらに含み得る。即ち、処理部２７０は、これらの構成要素の動作以外の動作も行い得る。
【０２６１】
（情報取得部２７１）
情報取得部２７１は、端末装置１００−７からの、セルのオン状態の継続の要求を取得する。当該セルは、基地局２００−７のセルである。
【０２６２】
例えば、上記要求は、オン状態の継続を要求するためのオン状態継続要求メッセージである。具体的には、例えば、端末装置１００−７は、上記オン状態継続要求メッセージを基地局２００−７へ送信し、情報取得部２７１は、当該オン状態継続要求メッセージを取得する。
【０２６３】
（制御部２７３）
制御部２７３は、上記要求に応じて上記セル（即ち、基地局２００−７のセル）のオン状態を継続する。
【０２６４】
例えば、制御部２７３は、上記オン状態継続要求メッセージに応じて、所定の期間にわたり、上記セルをオフ状態に切り替えずに、上記セルをオン状態のまま維持する。
【０２６５】
なお、制御部２７３は、上記要求に応じて、上記セルのオン状態を継続するかを判定してもよく、上記セルのオン状態を継続すると判定した場合に限り、上記セルのオン状態を継続してもよい。また、制御部２７３は、上記要求への応答として、判定の結果を端末装置１００−７に通知してもよい。
【０２６６】
＜９．４．処理の流れ＞
次に、図２５を参照して、第７の実施形態に係る処理の例を説明する。図２５は、第７の実施形態に係る処理の概略的な流れの一例を示すシーケンス図である。
【０２６７】
基地局２００−７は、基地局２００−７のセルがオン／オフ状態の切替えを伴うセルであることを示す情報を端末装置１００−７へ送信する（Ｓ５２１）。端末装置１００−７（情報取得部１８１）は、当該情報を取得する。
【０２６８】
そして、端末装置１００−７（制御部１８３）は、サービングセルのオン状態の継続を要求する（Ｓ５２３）。例えば、端末装置１００−７は、オン状態の継続を要求するためのオン状態継続要求メッセージを基地局２００−７へ送信する。基地局２００−７（情報取得部２７１）は、端末装置１００−７からの要求（即ち、上記オン状態継続要求メッセージ）を取得する。
【０２６９】
基地局２００−７（制御部２７３）は、上記要求に応じて、基地局２００−７のセルのオン状態を継続する（Ｓ５２５）。
【０２７０】
＜＜１０．応用例＞＞
本開示に係る技術は、様々な製品へ応用可能である。例えば、制御エンティティ３００は、タワーサーバ、ラックサーバ、又はブレードサーバなどのいずれかの種類のサーバとして実現されてもよい。また、制御エンティティ３００の少なくとも一部の構成要素は、サーバに搭載されるモジュール（例えば、１つのダイで構成される集積回路モジュール、又はブレードサーバのスロットに挿入されるカード若しくはブレード）において実現されてもよい。また、制御エンティティ３００は、後述するいずれかの種類の基地局として実現されてもよい。
【０２７１】
また、例えば、基地局２００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局２００は、ＮｏｄｅＢ又はＢＴＳ（Base  Transceiver  Station）などの他の種類の基地局として実現されてもよい。基地局２００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局２００として動作してもよい。さらに、基地局２００の少なくとも一部の構成要素は、基地局装置又は基地局装置のためのモジュールにおいて実現されてもよい。
【０２７２】
また、例えば、端末装置１００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置１００は、Ｍ２Ｍ（Machine  To  Machine）通信を行う端末（ＭＴＣ（Machine  Type  Communication）端末ともいう）として実現されてもよい。さらに、端末装置１００の少なくとも一部の構成要素は、これら端末に搭載されるモジュール（例えば、１つのダイで構成される集積回路モジュール）において実現されてもよい。
【０２７３】
＜１０．１．制御エンティティに関する応用例＞
図２６は、本開示に係る技術が適用され得るサーバ７００の概略的な構成の一例を示すブロック図である。サーバ７００は、プロセッサ７０１、メモリ７０２、ストレージ７０３、ネットワークインタフェース７０４及びバス７０６を備える。
【０２７４】
プロセッサ７０１は、例えばＣＰＵ（Central  Processing  Unit）又はＤＳＰ（Digital  Signal  Processor）であってよく、サーバ７００の各種機能を制御する。メモリ７０２は、ＲＡＭ（Random  Access  Memory）及びＲＯＭ（Read  Only  Memory）を含み、プロセッサ７０１により実行されるプログラム及びデータを記憶する。ストレージ７０３は、半導体メモリ又はハードディスクなどの記憶媒体を含み得る。
【０２７５】
ネットワークインタフェース７０４は、サーバ７００を有線通信ネットワーク７０５に接続するための有線通信インタフェースである。有線通信ネットワーク７０５は、ＥＰＣ（Evolved  Packet  Core）などのコアネットワークであってもよく、又はインターネットなどのＰＤＮ（Packet  Data  Network）であってもよい。
【０２７６】
バス７０６は、プロセッサ７０１、メモリ７０２、ストレージ７０３及びネットワークインタフェース７０４を互いに接続する。バス７０６は、速度の異なる２つ以上のバス（例えば、高速バス及び低速バス）を含んでもよい。
【０２７７】
図２６に示したサーバ７００において、図１７を参照して説明した処理部３３０に含まれる１つ以上の構成要素（情報取得部３３１及び／又は制御部３３３）は、プロセッサ７０１において実装されてもよい。一例として、プロセッサを上記１つ以上の構成要素として機能させるためのプログラム（換言すると、プロセッサに上記１つ以上の構成要素の動作を実行させるためのプログラム）がサーバ７００にインストールされ、プロセッサ７０１が当該プログラムを実行してもよい。別の例として、サーバ７００は、プロセッサ７０１及びメモリ７０２を含むモジュールを搭載し、当該モジュールにおいて上記１つ以上の構成要素が実装されてもよい。この場合に、上記モジュールは、プロセッサを上記１つ以上の構成要素として機能させるためのプログラムをメモリ７０２に記憶し、当該プログラムをプロセッサ７０１により実行してもよい。以上のように、上記１つ以上の構成要素を備える装置としてサーバ７００又は上記モジュールが提供されてもよく、プロセッサを上記１つ以上の構成要素として機能させるための上記プログラムが提供されてもよい。また、上記プログラムを記録した読み取り可能な記録媒体が提供されてもよい。
【０２７８】
＜１０．２．基地局に関する応用例＞
（第１の応用例）
図２７は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０２７９】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２７に示したように複数のアンテナ８１０を有し、複数のアンテナ８１０は、例えばｅＮＢ８００が使用する複数の周波数帯域にそれぞれ対応してもよい。なお、図２７にはｅＮＢ８００が複数のアンテナ８１０を有する例を示したが、ｅＮＢ８００は単一のアンテナ８１０を有してもよい。
【０２８０】
基地局装置８２０は、コントローラ８２１、メモリ８２２、ネットワークインタフェース８２３及び無線通信インタフェース８２５を備える。
【０２８１】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０２８２】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０２８３】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０２８４】
無線通信インタフェース８２５は、図２７に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２７に示したように複数のＲＦ回路８２７を含み、複数のＲＦ回路８２７は、例えば複数のアンテナ素子にそれぞれ対応してもよい。なお、図２７には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０２８５】
図２７に示したｅＮＢ８００において、図１３を参照して説明した処理部２５０に含まれる１つ以上の構成要素（情報取得部２５１及び／又は制御部２５３）は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又コントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又コントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。これらの点については、図１９を参照して説明した処理部２６０に含まれる１つ以上の構成要素（情報取得部２６１及び／又は制御部２６３）、及び、図２４を参照して説明した処理部２７０に含まれる１つ以上の構成要素（情報取得部２７１及び／又は制御部２７３）も、処理部２５０に含まれる上記１つ以上の構成要素と同様である。
【０２８６】
また、図２７に示したｅＮＢ８００において、図１３を参照して説明した無線通信部２２０は、無線通信インタフェース８２５（例えば、ＲＦ回路８２７）において実装されてもよい。また、アンテナ部２１０は、アンテナ８１０において実装されてもよい。また、ネットワーク通信部２３０は、コントローラ８２１及び／又はネットワークインタフェース８２３において実装されてもよい。
【０２８７】
（第２の応用例）
図２８は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０２８８】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２８に示したように複数のアンテナ８４０を有し、複数のアンテナ８４０は、例えばｅＮＢ８３０が使用する複数の周波数帯域にそれぞれ対応してもよい。なお、図２８にはｅＮＢ８３０が複数のアンテナ８４０を有する例を示したが、ｅＮＢ８３０は単一のアンテナ８４０を有してもよい。
【０２８９】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２７を参照して説明したコントローラ８２１、メモリ８２２及びネットワークインタフェース８２３と同様のものである。
【０２９０】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２７を参照して説明したＢＢプロセッサ８２６と同様のものである。無線通信インタフェース８５５は、図２８に示したように複数のＢＢプロセッサ８５６を含み、複数のＢＢプロセッサ８５６は、例えばｅＮＢ８３０が使用する複数の周波数帯域にそれぞれ対応してもよい。なお、図２８には無線通信インタフェース８５５が複数のＢＢプロセッサ８５６を含む例を示したが、無線通信インタフェース８５５は単一のＢＢプロセッサ８５６を含んでもよい。
【０２９１】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０２９２】
また、ＲＲＨ８６０は、接続インタフェース８６１及び無線通信インタフェース８６３を備える。
【０２９３】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２９４】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２８に示したように複数のＲＦ回路８６４を含み、複数のＲＦ回路８６４は、例えば複数のアンテナ素子にそれぞれ対応してもよい。なお、図２８には無線通信インタフェース８６３が複数のＲＦ回路８６４を含む例を示したが、無線通信インタフェース８６３は単一のＲＦ回路８６４を含んでもよい。
【０２９５】
図２８に示したｅＮＢ８３０において、図１３を参照して説明した処理部２５０に含まれる１つ以上の構成要素（情報取得部２５１及び／又は制御部２５３）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又コントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又コントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。これらの点については、図１９を参照して説明した処理部２６０に含まれる１つ以上の構成要素（情報取得部２６１及び／又は制御部２６３）、及び、図２４を参照して説明した処理部２７０に含まれる１つ以上の構成要素（情報取得部２７１及び／又は制御部２７３）も、処理部２５０に含まれる上記１つ以上の構成要素と同様である。
【０２９６】
また、図２８に示したｅＮＢ８３０において、例えば、図１３を参照して説明した無線通信部２２０は、無線通信インタフェース８６３（例えば、ＲＦ回路８６４）において実装されてもよい。また、アンテナ部２１０は、アンテナ８４０において実装されてもよい。また、ネットワーク通信部２３０は、コントローラ８５１及び／又はネットワークインタフェース８５３において実装されてもよい。
【０２９７】
＜７．３．端末装置に関する応用例＞
（第１の応用例）
図２９は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０２９８】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２９９】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０３００】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２９に示したように複数のＢＢプロセッサ９１３及び複数のＲＦ回路９１４を含んでもよい。なお、図２９には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０３０１】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０３０２】
アンテナスイッチ９１５の各々は、無線通信インタフェース９１２に含まれる複数の回路（例えば、異なる無線通信方式のための回路）の間でアンテナ９１６の接続先を切り替える。
【０３０３】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２９に示したように複数のアンテナ９１６を有してもよい。なお、図２９にはスマートフォン９００が複数のアンテナ９１６を有する例を示したが、スマートフォン９００は単一のアンテナ９１６を有してもよい。
【０３０４】
さらに、スマートフォン９００は、無線通信方式ごとにアンテナ９１６を備えてもよい。その場合に、アンテナスイッチ９１５は、スマートフォン９００の構成から省略されてもよい。
【０３０５】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２９に示したスマートフォン９００の各ブロックへ電力を供給する。補助コントローラ９１９は、例えば、スリープモードにおいて、スマートフォン９００の必要最低限の機能を動作させる。
【０３０６】
図２９に示したスマートフォン９００において、図１０を参照して説明した処理部１４０に含まれる１つ以上の構成要素（情報取得部１４１及び／又は制御部１４３）は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。これらの点については、図１２を参照して説明した処理部１５０に含まれる１つ以上の構成要素（情報取得部１５１及び／又は制御部１５３）、図１５を参照して説明した処理部１６０に含まれる１つ以上の構成要素（情報取得部１６１及び／又は制御部１６３）、図２１を参照して説明した処理部１７０に含まれる１つ以上の構成要素（情報取得部１７１及び／又は制御部１７３）、並びに、図２３を参照して説明した処理部１８０に含まれる１つ以上の構成要素（情報取得部１８１及び／又は制御部１８３）も、処理部１４０に含まれる上記１つ以上の構成要素と同様である。
【０３０７】
また、図２９に示したスマートフォン９００において、例えば、図１０を参照して説明した無線通信部１２０は、無線通信インタフェース９１２（例えば、ＲＦ回路９１４）において実装されてもよい。また、アンテナ部１１０は、アンテナ９１６において実装されてもよい。
【０３０８】
（第２の応用例）
図３０は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０３０９】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０３１０】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０３１１】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０３１２】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図３０に示したように複数のＢＢプロセッサ９３４及び複数のＲＦ回路９３５を含んでもよい。なお、図３０には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０３１３】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０３１４】
アンテナスイッチ９３６の各々は、無線通信インタフェース９３３に含まれる複数の回路（例えば、異なる無線通信方式のための回路）の間でアンテナ９３７の接続先を切り替える。
【０３１５】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図３０に示したように複数のアンテナ９３７を有してもよい。なお、図３０にはカーナビゲーション装置９２０が複数のアンテナ９３７を有する例を示したが、カーナビゲーション装置９２０は単一のアンテナ９３７を有してもよい。
【０３１６】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０３１７】
バッテリー９３８は、図中に破線で部分的に示した給電ラインを介して、図３０に示したカーナビゲーション装置９２０の各ブロックへ電力を供給する。また、バッテリー９３８は、車両側から給電される電力を蓄積する。
【０３１８】
図３０に示したカーナビゲーション装置９２０において、図１０を参照して説明した処理部１４０に含まれる１つ以上の構成要素（情報取得部１４１及び／又は制御部１４３）は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサ上記１つ以上の構成要素として機能させるためのプログラムが提供されてもよい。また、上記プログラムを記録した読み取り可能な記録媒体が提供されてもよい。これらの点については、図１２を参照して説明した処理部１５０に含まれる１つ以上の構成要素（情報取得部１５１及び／又は制御部１５３）、図１５を参照して説明した処理部１６０に含まれる１つ以上の構成要素（情報取得部１６１及び／又は制御部１６３）、図２１を参照して説明した処理部１７０に含まれる１つ以上の構成要素（情報取得部１７１及び／又は制御部１７３）、並びに、図２３を参照して説明した処理部１８０に含まれる１つ以上の構成要素（情報取得部１８１及び／又は制御部１８３）も、処理部１４０に含まれる上記１つ以上の構成要素と同様である。
【０３１９】
また、図３０に示したカーナビゲーション装置９２０において、例えば、図１０を参照して説明した無線通信部１２０は、無線通信インタフェース９３３（例えば、ＲＦ回路９３５）において実装されてもよい。また、アンテナ部１１０は、アンテナ９３７において実装されてもよい。
【０３２０】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、処理部１４０（又は、処理部１５０、処理部１６０、処理部１７０若しくは処理部１８０）に含まれる上記１つ以上の構成要素を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０３２１】
＜＜１１．まとめ＞＞
ここまで、図９〜図３０を参照して、本開示の実施形態に係る各装置及び各処理を説明した。
【０３２２】
第１の実施形態では、端末装置１００−１は、サービングセルがオフ状態になる前に測定報告を行う。これにより、例えば、セルのオン／オフ状態が切り替えられる環境に適した測定報告を行うことが可能になる。より具体的には、例えば、新たなサービングセルの選択に有用な測定報告が行われる。
【０３２３】
第２の実施形態では、端末装置１００−２は、オン状態の近隣セルについての測定結果に関する第１のイベントの発生に応じて測定報告を行う。また、端末装置１００−２は、オフ状態の近隣セルについての測定結果に関する第２のイベントの発生に応じて測定報告を行う。上記第１のイベント及び上記第２のイベントは、オフセット又は閾値が異なる。これにより、例えば、セルのオン／オフ状態が切り替えられる環境に適した測定報告を行うことが可能になる。より具体的には、例えば、オフ状態のセルについての測定報告が抑えられる。
【０３２４】
第３の実施形態では、端末装置１００−３は、端末装置１００−３のトラフィックに関する所定の条件が満たされる場合に測定報告を行う。これにより、例えば、セルのオン／オフ状態が切り替えられる環境に適した測定報告を行うことが可能になる。より具体的には、例えば、トラフィックの増加に応じて追加されるキャリア（セル）の選択に有用な測定報告が行われる。
【０３２５】
第４の実施形態では、制御エンティティ３００−４は、端末装置１００−４により報告される、オフ状態のセルについての測定結果と、端末装置１００−４のバッファステータスに関する情報とに基づいて、上記セルのオン状態への切替えを決定する。これにより、例えば、セルのオン／オフ状態をより適切に切り替えることが可能になる。より具体的には、例えば、必要性が高い場合に、オフ状態のセルがオン状態に切り替えられる。
【０３２６】
第５の実施形態では、基地局２００−５は、セルのオン／オフ状態の予定に関する情報に基づいて、端末装置１００−５により測定が行われるセルの候補、又は当該セルの候補の優先度を決定する。第６の実施形態では、基地局２００−６は、セルのオン／オフ状態の予定に関する情報に基づいて、端末装置１００−６により測定が行われるセルの候補、又は当該セルの候補の優先度を決定する。これにより、例えば、セルのオン／オフ状態が切り替えられる環境に適した測定報告を行うことが可能になる。より具体的には、例えば、オフ状態になりそうなセルについての測定報告よりも、オフ状態になりそうにないセルについての測定報告が行われる。その結果、オフ状態になりそうにないセルへのハンドオーバが行われ得る。
【０３２７】
第７の実施形態では、端末装置１００−７は、オン／オフ状態の切替えを伴うセルであるサービングセルのオン状態の継続を要求する。これにより、例えば、オン／オフ状態の切替えを伴うセルにおいても端末装置１００−７がある程度の時間通信することが可能になる。
【０３２８】
以上、添付図面を参照しながら本開示の好適な実施形態を説明したが、本開示は係る例に限定されないことは言うまでもない。当業者であれば、特許請求の範囲に記載された範疇内において、各種の変更例又は修正例に想到し得ることは明らかであり、それらについても当然に本開示の技術的範囲に属するものと了解される。
【０３２９】
例えば、制御エンティティと基地局とが別々の装置である例を説明したが、本開示は係る例に限定されない。例えば、基地局の中に制御エンティティが実装されてもよい。
【０３３０】
また、例えば、本開示の実施形態では、通信システムがＬＴＥ又はＬＴＥ−Ａに準拠する例を説明したが、本開示は係る例に限定されない。例えば、通信システムは、別の通信規格に準拠したシステムであってもよい。
【０３３１】
また、本明細書の処理における処理ステップは、必ずしもフローチャート又はシーケンス図に記載された順序に沿って時系列に実行されなくてよい。例えば、処理における処理ステップは、フローチャート又はシーケンス図として記載した順序と異なる順序で実行されても、並列的に実行されてもよい。
【０３３２】
また、本明細書の装置（例えば、端末装置、基地局もしくは制御エンティティ、又はそのモジュール）に備えられるプロセッサ（例えば、ＣＰＵ、ＤＳＰなど）を上記装置として機能させるためのコンピュータプログラム（換言すると、上記プロセッサに上記装置の構成要素の動作を実行させるためのコンピュータプログラム）も作成可能である。また、当該コンピュータプログラムを記録した記録媒体も提供されてもよい。また、上記コンピュータプログラムを記憶するメモリと、上記コンピュータプログラムを実行可能な１つ以上のプロセッサとを備える装置（例えば、完成品、又は完成品のためのモジュール（部品、処理回路若しくはチップなど））も提供されてもよい。また、上記装置の１つ以上の構成要素（例えば、情報取得部及び／又は制御部など）の動作を含む方法も、本開示に係る技術に含まれる。
【０３３３】
また、本明細書に記載された効果は、あくまで説明的又は例示的なものであって限定的ではない。つまり、本開示に係る技術は、上記効果とともに、又は上記効果に代えて、本明細書の記載から当業者には明らかな他の効果を奏しうる。
【０３３４】
なお、以下のような構成も本開示の技術的範囲に属する。
（１）
サービングセルがオフ状態になる予定であることを示す情報を取得する取得部と、
サービングセルがオフ状態になる前に測定報告を行う制御部と、
を備える装置。
（２）
前記サービングセルは、キャリアアグリゲーションのプライマリセルである、前記（１）に記載の装置。
（３）
前記サービングセルは、スモールセルである、前記（１）又は（２）に記載の装置。
（４）
前記制御部は、サービングセルがオフ状態になる予定であることが示されるというイベントの発生に応じて、測定報告を行う、前記（１）〜（３）のいずれか１項に記載の装置。
（５）
前記測定報告は、前記サービングセル以外のセルについての測定報告である、前記（１）〜（４）のいずれか１項に記載の装置。
（６）
オン状態の近隣セルについての測定結果に関する第１のイベントの発生に応じて測定報告を行う制御部、
を備え、
前記制御部は、オフ状態の近隣セルについての測定結果に関する第２のイベントの発生に応じて測定報告を行い、
前記第１のイベント及び前記第２のイベントは、オフセット又は閾値が異なる、
装置。
（７）
前記第２のイベントは、前記第１のイベントよりも厳しい発生条件を有する、前記（６）に記載の装置。
（８）
前記第１のイベントは、測定結果について、オン状態の近隣セルがサービングセルよりも第１のオフセットだけ良くなることであり、
前記第２のイベントは、測定結果について、オフ状態の近隣セルがサービングセルよりも第２のオフセットだけ良くなることであり、
前記第２のオフセットは、前記第１のオフセットよりも大きい、
前記（６）又は（７）に記載の装置。
（９）
前記第１のイベントは、測定結果について、オン状態の近隣セルが第１の閾値よりも良くなることであり、
前記第２のイベントは、測定結果について、オフ状態の近隣セルが第２の閾値よりも良くなることであり、
前記第２の閾値は、前記第１の閾値よりも大きい、
前記（６）又は（７）に記載の装置。
（１０）
前記第１のイベントは、測定結果について、サービングセルが第１の閾値よりも悪くなり、オン状態の近隣セルが第２の閾値よりも良くなることであり、
前記第２のイベントは、測定結果について、サービングセルが第３の閾値よりも悪くなり、オフ状態の近隣セルが第４の閾値よりも良くなることであり、
前記第４の閾値は前記第２の閾値よりも大きく、又は前記第３の閾値は前記第１の閾値よりも小さい、
前記（６）又は（７）に記載の装置。
（１１）
前記サービングセルは、キャリアアグリゲーションのプライマリセルである、前記（８）又は（１０）に記載の装置。
（１２）
前記第１のイベントは、測定結果について、オン状態の近隣セルがセカンダリセルよりも第１のオフセットだけ良くなることであり、
前記第２のイベントは、測定結果について、オフ状態の近隣セルがセカンダリセルよりも第２のオフセットだけ良くなることであり、
前記第２のオフセットは、前記第１のオフセットよりも大きい、
前記（６）又は（７）に記載の装置。
（１３）
近隣セルについての測定結果に関するイベントのためのオフセット又は閾値を取得する取得部と、
前記オフセット又は前記閾値を端末装置に通知する制御部と、
を備え、
前記オフセット又は前記閾値は、オン状態の近隣セルについての測定結果に関する第１のイベントのためのオフセット又は閾値と、オフ状態の近隣セルについての測定結果に関する第２のイベントのためのオフセット又は閾値とを含み、
前記第２のイベントのための前記オフセット又は前記閾値は、前記第１のイベントのための前記オフセット又は前記閾値とは異なる、
装置。
（１４）
端末装置のトラフィックに関する情報を取得する取得部と、
前記情報に関する所定の条件が満たされる場合に測定報告を行う制御部と、
を備える装置。
（１５）
前記トラフィックに関する情報は、前記端末装置のトラフィックロードであり、
前記所定の条件は、前記端末装置のトラフィックロードが閾値以上になることである、
前記（１４）に記載の装置。
（１６）
前記トラフィックに関する情報は、前記端末装置のトラフィック量であり、
前記所定の条件は、前記端末装置のトラフィック量が閾値以上になることである、
前記（１４）に記載の装置。
（１７）
前記閾値は、前記端末装置の平均スループットである、前記（１６）に記載の装置。
（１８）
前記測定報告は、オフ状態のセルについての測定報告を含む、前記（１４）〜（１７）のいずれか１項に記載の装置。
（１９）
端末装置により報告される、オフ状態のセルについての測定結果と、前記端末装置のバッファステータスに関する情報とを取得する取得部と、
前記測定結果及び前記情報に基づいて、前記セルのオン状態への切替えを決定する制御部と、
を備える装置。
（２０）
前記情報は、バッファステータスレポートである、前記（１９）に記載の装置。
（２１）
セルのオン／オフ状態の予定に関する情報を取得する取得部と、
前記情報に基づいて、端末装置により測定が行われるセルの候補、又は当該セルの候補の優先度を決定する制御部と、
を備える装置。
（２２）
前記情報は、オン状態からオフ状態への切替えの予定を示す情報である、前記（２１）に記載の装置。
（２３）
前記制御部は、オン状態からオフ状態への切替えの予定を有するセルを前記セルの候補には含めず、又は、オン状態からオフ状態への切替えの予定を有するセルの優先度をより低くする、前記（２２）に記載の装置。
（２４）
前記情報は、セルのオン状態が継続する時間を示す情報である、前記（２１）に記載の装置。
（２５）
前記制御部は、オン状態の継続時間が所定の期間内に到来するセルを前記セルの候補には含めず、又は、オン状態の継続時間が所定の期間内に到来するセルの優先度をより低くする、前記（２４）に記載の装置。
（２６）
前記制御部は、前記端末装置によるデータの送信のための期間内にオン状態の継続時間が到来するセルを前記セルの候補には含めず、又は、前記端末装置によるデータの送信のための期間内にオン状態の継続時間が到来するセルの優先度をより低くする、前記（２４）に記載の装置。
（２７）
サービングセルがオン／オフ状態の切替えを伴うセルであることを示す情報を取得する取得部と、
サービングセルのオン状態の継続を要求する制御部と、
を備える装置。
（２８）
端末装置からの、セルのオン状態の継続の要求を取得する取得部と、
前記要求に応じて前記セルのオン状態を継続する制御部と、
を備える装置。
（２９）
前記装置は、端末装置、又は端末装置のためのモジュールである、前記（１）〜（５）のいずれか１項に記載の装置。
（３０）
サービングセルがオフ状態になる予定であることを示す情報を取得することと、
プロセッサにより、サービングセルがオフ状態になる前に測定報告を行うことと、
を含む方法。
（３１）
サービングセルがオフ状態になる予定であることを示す情報を取得することと、
サービングセルがオフ状態になる前に測定報告を行うことと、
をプロセッサに実行させるためのプログラム。
（３２）
サービングセルがオフ状態になる予定であることを示す情報を取得することと、
サービングセルがオフ状態になる前に測定報告を行うことと、
をプロセッサに実行させるためのプログラムを記録した読み取り可能な記録媒体。
（３３）
前記装置は、端末装置、又は端末装置のためのモジュールである、前記（６）〜（１２）のいずれか１項に記載の装置。
（３４）
プロセッサにより、オン状態の近隣セルについての測定結果に関する第１のイベントの発生に応じて測定報告を行うことと、
プロセッサにより、オフ状態の近隣セルについての測定結果に関する第２のイベントの発生に応じて測定報告を行うことと、
を含み、
前記第１のイベント及び前記第２のイベントは、オフセット又は閾値が異なる、
方法。
（３５）
オン状態の近隣セルについての測定結果に関する第１のイベントの発生に応じて測定報告を行うことと、
オフ状態の近隣セルについての測定結果に関する第２のイベントの発生に応じて測定報告を行うことと、
をプロセッサに実行させるためのプログラムであり、
前記第１のイベント及び前記第２のイベントは、オフセット又は閾値が異なる、
プログラム。
（３６）
オン状態の近隣セルについての測定結果に関する第１のイベントの発生に応じて測定報告を行うことと、
オフ状態の近隣セルについての測定結果に関する第２のイベントの発生に応じて測定報告を行うことと、
をプロセッサに実行させるためのプログラムを記録した読み取り可能な記録媒体であり、
前記第１のイベント及び前記第２のイベントは、オフセット又は閾値が異なる、
記録媒体。
（３７）
前記装置は、基地局、基地局のための基地局装置、又は当該基地局装置のためのモジュールである、前記（１３）に記載の装置。
（３８）
近隣セルについての測定結果に関するイベントのためのオフセット又は閾値を取得することと、
プロセッサにより、前記オフセット又は前記閾値を端末装置に通知することと、
を含み、
前記オフセット又は前記閾値は、オン状態の近隣セルについての測定結果に関する第１のイベントのためのオフセット又は閾値と、オフ状態の近隣セルについての測定結果に関する第２のイベントのためのオフセット又は閾値とを含み、
前記第２のイベントのための前記オフセット又は前記閾値は、前記第１のイベントのための前記オフセット又は前記閾値とは異なる、
方法。
（３９）
近隣セルについての測定結果に関するイベントのためのオフセット又は閾値を取得することと、
前記オフセット又は前記閾値を端末装置に通知することと、
をプロセッサに実行させるためのプログラムであり、
前記オフセット又は前記閾値は、オン状態の近隣セルについての測定結果に関する第１のイベントのためのオフセット又は閾値と、オフ状態の近隣セルについての測定結果に関する第２のイベントのためのオフセット又は閾値とを含み、
前記第２のイベントのための前記オフセット又は前記閾値は、前記第１のイベントのための前記オフセット又は前記閾値とは異なる、
プログラム。
（４０）
近隣セルについての測定結果に関するイベントのためのオフセット又は閾値を取得することと、
前記オフセット又は前記閾値を端末装置に通知することと、
をプロセッサに実行させるためのプログラムを記録した読み取り可能な記録媒体であり、
前記オフセット又は前記閾値は、オン状態の近隣セルについての測定結果に関する第１のイベントのためのオフセット又は閾値と、オフ状態の近隣セルについての測定結果に関する第２のイベントのためのオフセット又は閾値とを含み、
前記第２のイベントのための前記オフセット又は前記閾値は、前記第１のイベントのための前記オフセット又は前記閾値とは異なる、
記録媒体。
（４１）
前記装置は、前記端末装置、又は前記端末装置のためのモジュールである、前記（１４）〜（１８）のいずれか１項に記載の装置。
（４２）
端末装置のトラフィックに関する情報を取得することと、
プロセッサにより、前記情報に関する所定の条件が満たされる場合に測定報告を行うことと、
を含む方法。
（４３）
端末装置のトラフィックに関する情報を取得することと、
前記情報に関する所定の条件が満たされる場合に測定報告を行うことと、
をプロセッサに実行させるためのプログラム。
（４４）
端末装置のトラフィックに関する情報を取得することと、
前記情報に関する所定の条件が満たされる場合に測定報告を行うことと、
をプロセッサに実行させるためのプログラムを記録した読み取り可能な記録媒体。
（４５）
端末装置により報告される、オフ状態のセルについての測定結果と、前記端末装置のバッファステータスに関する情報とを取得することと、
プロセッサにより、前記測定結果及び前記情報に基づいて、前記セルのオン状態への切替えを決定することと、
を含む方法。
（４６）
端末装置により報告される、オフ状態のセルについての測定結果と、前記端末装置のバッファステータスに関する情報とを取得することと、
前記測定結果及び前記情報に基づいて、前記セルのオン状態への切替えを決定することと、
をプロセッサに実行させるためのプログラム。
（４７）
端末装置により報告される、オフ状態のセルについての測定結果と、前記端末装置のバッファステータスに関する情報とを取得することと、
前記測定結果及び前記情報に基づいて、前記セルのオン状態への切替えを決定することと、
をプロセッサに実行させるためのプログラムを記録した読み取り可能な記録媒体。
（４８）
前記装置は、基地局、基地局のための基地局装置、又は当該基地局装置のためのモジュールである、前記（２１）〜（２６）のいずれか１項に記載の装置。
（４９）
前記装置は、前記端末装置、又は前記端末装置のためのモジュールである、前記（２１）〜（２６）のいずれか１項に記載の装置。
（５０）
セルのオン／オフ状態の予定に関する情報を取得することと、
プロセッサにより、前記情報に基づいて、端末装置により測定が行われるセルの候補、又は当該セルの候補の優先度を決定することと、
を含む方法。
（５１）
セルのオン／オフ状態の予定に関する情報を取得することと、
前記情報に基づいて、端末装置により測定が行われるセルの候補、又は当該セルの候補の優先度を決定することと、
をプロセッサに実行させるためのプログラム。
（５２）
セルのオン／オフ状態の予定に関する情報を取得することと、
前記情報に基づいて、端末装置により測定が行われるセルの候補、又は当該セルの候補の優先度を決定することと、
をプロセッサに実行させるためのプログラムを記録した読み取り可能な記録媒体。
（５３）
前記装置は、端末装置、又は端末装置のためのモジュールである、前記（２７）に記載の装置。
（５４）
サービングセルがオン／オフ状態の切替えを伴うセルであることを示す情報を取得することと、
プロセッサにより、サービングセルのオン状態の継続を要求することと、
を含む方法。
（５５）
サービングセルがオン／オフ状態の切替えを伴うセルであることを示す情報を取得することと、
サービングセルのオン状態の継続を要求することと、
をプロセッサに実行させるためのプログラム。
（５６）
サービングセルがオン／オフ状態の切替えを伴うセルであることを示す情報を取得することと、
サービングセルのオン状態の継続を要求することと、
をプロセッサに実行させるためのプログラムを記録した読み取り可能な記録媒体。
（５７）
前記装置は、基地局、基地局のための基地局装置、又は当該基地局装置のためのモジュールである、前記（２８）に記載の装置。
（５８）
端末装置からの、セルのオン状態の継続の要求を取得することと、
プロセッサにより、前記要求に応じて前記セルのオン状態を継続することと、
を含む方法。
（５９）
端末装置からの、セルのオン状態の継続の要求を取得することと、
前記要求に応じて前記セルのオン状態を継続することと、
をプロセッサに実行させるためのプログラム。
（６０）
端末装置からの、セルのオン状態の継続の要求を取得することと、
前記要求に応じて前記セルのオン状態を継続することと、
をプロセッサに実行させるためのプログラムを記録した読み取り可能な記録媒体。
【符号の説明】
【０３３５】
１                                      通信システム
１００                                  端末装置
１４１、１５１、１６１、１７１、１８１  情報取得部
１４３、１５３、１６３、１７３、１８３  制御部
２００                                  基地局
２５１、２６１、２７１                  情報取得部
２５３、２６３、２７３                  制御部
３００                                  制御エンティティ
３３１                                  情報取得部
３３３                                  制御部
【図１】
2015220658.tif 000011
【図２】
2015220658.tif 000012
【図３】
2015220658.tif 000013
【図４】
2015220658.tif 000014
【図５】
2015220658.tif 000015
【図６】
2015220658.tif 000016
【図７】
2015220658.tif 000017
【図８】
2015220658.tif 000018
【図９】
2015220658.tif 000019
【図１０】
2015220658.tif 000020
【図１１】
2015220658.tif 000021
【図１２】
2015220658.tif 000022
【図１３】
2015220658.tif 000023
【図１４】
2015220658.tif 000024
【図１５】
2015220658.tif 000025
【図１６】
2015220658.tif 000026
【図１７】
2015220658.tif 000027
【図１８】
2015220658.tif 000028
【図１９】
2015220658.tif 000029
【図２０】
2015220658.tif 000030
【図２１】
2015220658.tif 000031
【図２２】
2015220658.tif 000032
【図２３】
2015220658.tif 000033
【図２４】
2015220658.tif 000034
【図２５】
2015220658.tif 000035
【図２６】
2015220658.tif 000036
【図２７】
2015220658.tif 000037
【図２８】
2015220658.tif 000038
【図２９】
2015220658.tif 000039
【図３０】
2015220658.tif 000040